(57)【特許請求の範囲】
【請求項１】
輸液ポンプの電池容量管理および電池充電アラートシステムであって、
患者に液を注入するように構成された輸液ポンプであり、
１つまたは複数の再充電可能な電池と、
ユーザインターフェースおよびユーザインターフェース画面と、
コンピュータを備え、かつ前記ユーザインターフェースおよび前記ユーザインターフェース画面に結合された輸液ポンプ制御器と
を備える輸液ポンプを備え、
前記輸液ポンプが、１人または複数のユーザにより前記ユーザインターフェースを介して、プログラムされた輸液を含む輸液入力を受け入れ、
前記ユーザインターフェースが、前記ユーザインターフェース画面上に、
前記プログラムされた輸液の確認と、
電池容量評価オプションと
を表示し、
前記輸液ポンプ制御器が、前記電池容量評価オプションを選択するための選択入力を受け入れ、
前記輸液ポンプ制御器が、前記電池容量評価オプションと関連付けられた前記選択入力を検出した場合、前記輸液ポンプ制御器は、
前記プログラムされた輸液を実行するための予測される電力容量要件を計算し、
前記１つまたは複数の再充電可能な電池の残りの電力容量を計算し、
前記計算された予測される電力容量要件を、前記１つまたは複数の再充電可能な電池の前記計算された残りの電力容量と比較し、かつ
前記輸液ポンプが、前記残りの電力容量にだけ基づいて前記プログラムされた輸液を完全に実行できるかどうかを判定し、
前記輸液ポンプ制御器が、前記輸液ポンプは、前記残りの電力容量だけを用いて前記プログラムされた輸液を完全に実行できると判定した場合、
前記輸液ポンプ制御器は、前記残りの電力容量を用いるだけで、前記輸液ポンプにより前記プログラムされた輸液を実行し、また
前記輸液ポンプ制御器が、前記輸液ポンプは、前記残りの電力容量を用いるだけでは前記プログラムされた輸液を完全には実行できないと判定した場合、前記輸液ポンプ制御器は、
前記プログラムされた輸液を完全に実行するには再充電時間が必要であるというメッセージを前記１人または複数のユーザに提供すること、または
前記輸液ポンプにより前記プログラムされた輸液を実行し、前記プログラムされた輸液を完全に実行するには再充電時間が必要であるというメッセージを前記１人または複数のユーザに提供すること
を実行する、輸液ポンプの電池容量管理および電池充電アラートシステム。
【請求項２】
前記輸液ポンプ制御器は、プログラム遅延オプションおよび開始オプションの一方または両方を選択する選択入力を受け入れ、かつ各オプションをアクティブにし、
前記輸液ポンプ制御器が、前記開始オプションに関連付けられた前記選択入力を検出した場合、
前記プログラムされた輸液が前記輸液ポンプにより実行され、
前記輸液ポンプ制御器が、前記プログラム遅延オプションに関連付けられた前記選択入力を検出した場合、
輸液遅延がプログラムされ、前記輸液ポンプ制御器は、次いで、前記電池容量評価オプションを選択する、または前記開始オプションを選択する、請求項１に記載の輸液ポンプの電池容量管理および電池充電アラートシステム。
【請求項３】
前記ユーザインターフェースは、前記ユーザインターフェース画面上に、
前記プログラムされた輸液の前記確認を備えた開始画面と、
開始オプションと、
電池充電インジケータであって、
パーセンテージ、
時間、または
前記パーセンテージおよび前記時間の両方
のうちの少なくとも１つとして、前記１つまたは複数の再充電可能な電池の前記残りの電力容量を示す電池充電インジケータと、
前記プログラムされた輸液の要件と
を表示する、請求項１に記載の輸液ポンプの電池容量管理および電池充電アラートシステム。
【請求項４】
前記メッセージは、
前記残りの電力容量が、前記プログラムされた輸液を実行するには不十分であること、
前記プログラムされた輸液の実行中に、再充電時間が必要であること、および
前記１つまたは複数の再充電可能な電池が消耗する前の時間を決定すること、または
前記１つまたは複数の再充電可能な電池が、安全なレベル内で消耗する前の時間を決定すること
を含む、請求項１に記載の輸液ポンプの電池容量管理および電池充電アラートシステム。
【請求項５】
前記プログラムされた輸液を完全に実行するためには、再充電時間が必要であるという前記メッセージが提供されたとき、前記輸液ポンプは、第１の再充電状態または第２の再充電状態に入るようにさらに構成され、
前記第１の再充電状態は、前記プログラムされた輸液を完全に実行するために、前記１つまたは複数の再充電可能な電池の部分的な再充電、または前記１つまたは複数の再充電可能な電池の完全な再充電を含み、かつ
前記第２の再充電状態は、前記１つまたは複数の再充電可能な電池の完全な再充電、および前記プログラムされた輸液の実行中に、前記１つまたは複数の再充電可能な電池の連続的な再充電を含む、請求項１に記載の輸液ポンプの電池容量管理および電池充電アラートシステム。
【請求項６】
前記第１の再充電状態中に、前記輸液ポンプ制御器は、前記１人または複数のユーザにより、前記１つまたは複数の再充電可能な電池の前記部分的な、または完全な再充電を延期するようにさらに構成され、
前記輸液ポンプは、時間延期値を決定し、かつ前記１人または複数のユーザに、前記決定された時間延期値を通知するようにさらに構成され、また
前記決定された時間延期値は、前記部分的な再充電、または前記完全な再充電を必要とする前に、前記輸液ポンプが安全に動作し続けることのできる値である、請求項５に記載の輸液ポンプの電池容量管理および電池充電アラートシステム。
【請求項７】
前記第２の再充電状態中に、前記輸液ポンプ制御器は、
前記プログラムされた輸液の実行前に、前記１つまたは複数の再充電可能な電池を部分的に、もしくは完全に再充電し、次いで、前記プログラムされた輸液の実行中に、前記１つまたは複数の再充電可能な電池を連続的に充電することにより、または
前記プログラムされた輸液の実行中に、前記１つまたは複数の再充電可能な電池を部分的に、もしくは完全に再充電し、さらに、前記プログラムされた輸液の実行中に前記１つまたは複数の再充電可能な電池を連続的に充電することにより、または
前記１つまたは複数の再充電可能な電池の前記再充電を延期することにより、
前記１つまたは複数の再充電可能な電池を再充電するようにさらに構成され、
前記輸液ポンプは、時間延期値を決定し、かつ前記決定された時間延期値を前記１人または複数のユーザに通知するようにさらに構成され、
前記決定された時間値は、前記部分的な再充電、または前記完全な再充電を必要とする前に、前記輸液ポンプが安全に動作し続けることのできる値である、請求項５に記載の輸液ポンプの電池容量管理および電池充電アラートシステム。
【請求項８】
前記患者の歩行を検出する少なくとも１つの検出器をさらに備え、前記少なくとも１つの検出器が患者の歩行を検出したとき、前記輸液ポンプ制御器は、
前記プログラムされた輸液を完全に実行するための前記プログラムされた輸液の必要な残りの持続期間を計算かつ表示し、
前記プログラムされた輸液を完全に実行するための予測される電力容量要件を計算し、
前記１つまたは複数の再充電可能な電池の残りの電力容量を計算し、
前記計算された予測される電力容量要件を、前記１つまたは複数の再充電可能な電池の前記計算された残りの電力容量と比較し、かつ
前記プログラムされた輸液の前記計算された必要な残りの持続期間と、前記１つまたは複数の再充電可能な電池の前記計算された残りの電力容量との比較に基づき、前記輸液ポンプが、前記プログラムされた輸液を完全に実行できるかどうかを判定し、
前記輸液ポンプ制御器が、前記輸液ポンプは、前記残りの電力容量だけを用いて前記プログラムされた輸液の前記必要な残りの持続期間を有する前記プログラムされた輸液を完全に実行できると判定したとき、
前記輸液ポンプ制御器は、前記プログラムされた輸液を前記輸液ポンプにより実行し、また
前記輸液ポンプ制御器が、前記輸液ポンプは、前記残りの電力容量を用いるだけでは前記プログラムされた輸液の前記必要な残りの持続期間を有する前記プログラムされた輸液を完全に実行できないと判定したとき、
前記輸液ポンプ制御器は、不十分な残りの電力容量を示す警告を前記１人または複数のユーザに提供する、請求項１に記載の輸液ポンプの電池容量管理および電池充電アラートシステム。
【請求項９】
前記患者の前記歩行を検出する前記少なくとも１つの検出器は、
前記コンピュータと結合された加速度計であって、前記輸液ポンプに結合された前記患者の歩行を示す加速度を検出する加速度計と、
前記コンピュータに結合された無線ネットワークインターフェースであって、前記患者に結合された前記輸液ポンプの無線接続性の変化を検出する無線ネットワークインターフェースと、
前記輸液ポンプからの電力入力が外されたことを検出するセンサと
のうちの１つまたは複数のものを備える、請求項８に記載の輸液ポンプの電池容量管理および電池充電アラートシステム。
【請求項１０】
前記プログラムされた輸液中に、前記少なくとも１つの検出器が、
第１の所定値未満の、前記輸液ポンプからの電力入力の除去と、
前記加速度計により検出された時間の少なくとも所定値の間に持続される輸液ポンプの動き、および
前記無線ネットワークインターフェースにより検出された所定数の無線接続性の変化に基づく輸液ポンプの動き
の一方または両方と
に基づいて歩行を検出する、請求項９に記載の輸液ポンプの電池容量管理および電池充電アラートシステム。
【請求項１１】
前記輸液ポンプ制御器は、前記輸液ポンプが、前記残りの電力容量を用いるだけでは、前記プログラムされた輸液の前記必要な残りの持続期間を有する前記プログラムされた輸液を完全には実行できないと判定したとき、前記輸液ポンプ制御器は、
前記プログラムされた輸液の前記必要な残りの持続期間を有する前記プログラムされた輸液を完全に実行するために、前記プログラムされた輸液を開始する前に、前記１つまたは複数の再充電可能な電池の必要な充電の持続期間と、
前記プログラムされた輸液の前記必要な残りの持続期間を有する前記プログラムされた輸液を完全に実行するために、前記輸液ポンプの前記１つまたは複数の再充電可能な電池の再充電が、前記プログラムされた輸液の実行中に必要となる予測される時間と
の一方または両方を提供する、請求項８に記載の輸液ポンプの電池容量管理および電池充電アラートシステム。
【請求項１２】
前記輸液ポンプは、前記プログラムされた輸液を完全に実行するための、前記プログラムされた輸液の前記計算された必要な残りの持続期間を示す残り時間カウンタを前記ユーザインターフェース画面に時間および分で表示する、請求項８に記載の輸液ポンプの電池容量管理および電池充電アラートシステム。
【請求項１３】
前記輸液ポンプは、前記ユーザインターフェース画面上に、
前記プログラムされた輸液を完全に実行するための前記プログラムされた輸液の前記計算された必要な残りの持続期間と、
前記１つまたは複数の再充電可能な電池の前記計算された残りの電力容量と、
前記プログラムされた輸液の進度を示す移動するバーを表示する棒グラフと
を備える治療進度バーを表示する、請求項８に記載の輸液ポンプの電池容量管理および電池充電アラートシステム。
【請求項１４】
前記棒グラフは、
輸液の第１の治療オプション時間を表示する第１のセグメントと、
輸液の第２の治療オプション時間を表示する第２のセグメントとを備え、
ここで、輸液の前記第１の治療オプション時間および前記第２の治療オプション時間が、流量プロットとして表示され、前記棒グラフはさらに
前記１つまたは複数の再充電可能な電池の前記残りの電力容量が、いつ実質的に使い果たされるかを示す前記第１のセグメントおよび前記第２のセグメントの一方または両方に沿って強調される第３のセグメントと
を備える請求項１３に記載の輸液ポンプの電池容量管理および電池充電アラートシステム。
【請求項１５】
前記輸液ポンプ制御器は、
前記プログラムされた輸液を完全に実行するために、前記プログラムされた輸液の前記必要な残りの持続期間、
前記プログラムされた輸液を実行するための前記予測される電力容量要件、および
前記１つまたは複数の再充電可能な電池の前記残りの電力容量
における１つまたは複数の変化を判定し、かつ計算する、請求項８に記載の輸液ポンプの電池容量管理および電池充電アラートシステム。
【発明の詳細な説明】
【技術分野】
【０００１】
関連出願への相互参照
この特許出願は、２０１４年１月１６日に出願された米国特許仮出願第６１／９２８，３０５号、および２０１４年１２月９日に出願された米国特許仮出願第６２／０８９，６９１号の利益を主張するものであり、その明細書を参照により本明細書に組み込むものとする。
【０００２】
本発明の１つまたは複数の実施形態は、輸液ポンプの電力管理システム、および電池充電アラートシステムの分野に関する。詳細には、１つまたは複数の実施形態は、輸液ポンプの残りの電池容量を求め、かつ特定の輸液が、実施すべきその特定の輸液に基づき、また現在残っている電池容量に基づいて再充電を必要とする場合、輸液を開始する前にユーザにメッセージを提供するシステムおよび方法に関する。少なくとも１つの実施形態は、輸液ポンプのプログラムされた輸液の必要な残りの持続期間、プログラムされた輸液を完全に実行するための予測される電力容量要件、輸液ポンプの電池の残りの電力容量を決定し、かつ輸液ポンプが、予想されない、または早過ぎる治療停止を回避するために、歩行前に再充電を必要とするかどうかを判定する。
【背景技術】
【０００３】
一般に、携帯型ポンプ（ａｍｂｕｌａｔｏｒｙ  ｐｕｍｐ）は、これらのポンプを身につけた患者は多少動きやすいと予測される点で、輸液ポンプの中でも特有のものである。さらに携帯型ポンプは、通常、家庭や代替の場所など、高度に監視された臨床的環境外で使用することができる。概して、輸液システムは、治療を行う電力を提供するために、主電源からのエネルギーと電池電源からのエネルギーとを組み合わせたものを利用する。通常、患者の歩行中、または送電系統に基づく停電中など、主電源からの電力が利用できない場合、注入器の動作など、治療を行うことは、完全に電池に依存する。これらの特有な使用例では、患者は、通常、交流または「ＡＣ」電力につながれていないので、輸液ポンプ内に組み込まれた電池の使用における管理に対して課題が提示される。それとは対照的に、注射器ポンプ、または一般的なＩＶ／大容量ポンプなどの、大部分の病院の輸液ポンプは、患者の輸送中、また他の短期間のイベント中、またはこのようなイベントの後にポンプのプラグを戻すことの過失などを除いて、通常、ベッドのそばのＡＣ電力に接続され、ほとんどの状況下で、プラグが挿入されたままである。例えば、病院の「ポールに取り付けられた」ポンプは、通常、バックアップ電源として、内蔵された再充電可能な電池を使用するが、主として壁電源により駆動されるように意図されている。しかし、携帯型ポンプは、一般に、長時間にわたり、場合によっては、輸液セッション全体に対して、完全に電池電力に基づいて使用される。携帯型ポンプにおいて、内蔵された再充電可能な電池が出現してきたが、従来、携帯型ポンプは、使い捨ての「落とし込み式（ｄｒｏｐ−ｉｎ）」電池を使用することに基づいて設計されてきた。通常、電池内の残りの充電量が、主電源からの入力なしに治療を続けられる持続期間を最終的に決定する。
【０００４】
輸液ポンプは、通常、ポンプが特定の輸液全体を通して電力が供給される方法を考慮せずにプログラムされる。例えば、ポンプは、ＡＣ電源または内蔵電池を介して利用可能な十分な電力容量を有すること、および全体の電力の必要性、低下した電池、一時的または長期間にわたるＡＣ電力へのアクセス欠如、および他の電力管理問題は、臨床的環境における介護者により、または家庭もしくは代替の場所における患者もしくは介護者により管理されるであろうと予測され得る。家庭の輸液では、輸液を完了するために、十分な電池寿命を確実に利用できるようにする典型的な解決策は、知られた電池容量、治療プロファイルにより、また時間と共に、家庭輸液を行う集団により作られた直感により、輸液ごとに、または２回の輸液ごとに新しい落とし込み電池を装填することを必要とする。こうすることは、一般に、電池がまだ残りの電池容量を有する場合であっても処分されるので、電池の非効率的な使用を生じる費用のかかる解決策であることが示されてきた。電池容量と、プログラムされた輸液を完了するために必要な容量との間の関連は示されていない。
【０００５】
内蔵する再充電可能な電池を使用することは、概して、新しい電池を提供するために患者の家に外出する極端な場合も含めて、この以前の慣行の経済的な課題、および実際的な実施課題に対して解決策を与える。この使用例に再充電可能な電池を導入することは、電池が、新しい「フル充電された」アルカリ電池に対して、使用前に未知の容量を有する可能性のあるという点、および容易に内蔵電池を置換えできることが患者または介護者の選択肢になり得ないという点で、新しい実際的な課題を生ずる。しかし、ラップトップコンピュータおよび携帯電話などの移動電子デバイス、ならびに全体的な使用コストにおける前述の利益の流れに従って、再充電可能な内蔵電池の方向への業界の移行は避けられないものである。
【０００６】
一般に、病院の輸液ポンプは、バックアップ電池として、再充電可能な内蔵電池を利用する。これらの製品はすべて、通常、残りの容量の％で電池容量に関する詳細を共有し、２５％、５０％、７５％などの離散的な値だけで残りの電池容量を提示することが多い。使い捨て電池ならびに再充電可能な内蔵電池を使用する携帯型ポンプが導入されてきた。これらの製品はまた、通常、残りの容量の％で電池容量に関する詳細を共有する。典型的な解決策は、概して、残りの容量を残りの輸液時間と関連付けることはない。例えば、残りの容量は、残りの充電量のパーセンテージとして伝えられるに過ぎず、この尺度の残りの輸液時間への変換は提供されない、または示唆されない（インスリン送達ポンプなどの装着可能なポンプは、本明細書で規定される携帯型ポンプとは別の範疇であると見なされ、通常、使い捨て電池を使用し、１型糖尿病患者用として程度の差はあるが連続して動作する）。残りの電池容量をユーザに伝える典型的な方法の著しい不利な点は、家庭にいる携帯型ポンプのユーザは、経験を積んでいない可能性があり、残りの電池容量に関する高度な直感、および残りの輸液時間へのその関連をまだ身につけていない可能性のあることであり、その関連は、通常、輸液プロファイル（流量および時間）と同様にポンプ構成（バックライトまたは無線通信設定など）に依存している。知られたポンプは、電池電力で動作しており、かつ利用可能な電池容量が、３０分など、（設定可能であることが多い）残りの輸液時間未満に低下したとき、「低下した電池」をメッセージで伝える、または警報を発することになる。しかし、このような警報またはメッセージは、事前警告を提示するものではなく、したがって、ユーザを、使い捨て電池に変更する、またはＡＣもしくは他の電源にアクセスして内蔵電池を再充電することのできない状態に置く可能性があり、歩行する患者には大幅な制限となるおそれがある。
【０００７】
一般に、主電力が失われた場合、または患者が注入器と共に歩行する場合、臨床医は、一般的な方法で、残りの電池充電量について調べるに過ぎない可能性がある。これは、通常、残りの電池容量の推定された割合を、非数値的な図形のアイコン形式で表示する画面上のアイコン、または他の視覚的なインジケータを観察することにより達成される。看護師は、一般に、歩行の前に電池充電残量を確認しないことにより、必要な電力消費量が電池を使い果たしたため、途中で治療が停止されることがしばしば生じていることを報告している。
【０００８】
例えば、「Ｐｏｗｅｒ  Ｍａｎａｇｅｍｅｎｔ  Ｓｙｓｔｅｍ」と題するＬａｙｍａｎ他に付与された米国特許第５，７１２，７９５号は、電力を管理して、電池が確実にフル充電状態にあるように医療デバイスの内蔵電池を動作させるものと思われる電力管理システムを開示する。例えば、Ｌａｙｍａｎ他の電力管理システムは、電池容量を監視し、充電作業および使用量に基づいて電池の残りの充電量を計算し、それにより、電池の実行時間を計算することができる。しかし、そのシステムは、現在の電池容量に基づいて、特定の輸液が、治療前もしくは治療中に再充電を必要とすることを、輸液が開始する前にユーザに対して通知もしくは警告を行う輸液ポンプ電池容量管理システムに関する何らかの教示もしくは示唆に欠けているように思われる。このシステム、ならびに以下で列挙する他のシステムのそれぞれは、輸液中に、または輸液への変更に続いて、輸液を完了するには、再充電が必要になるという通知もしくは警告をユーザに提供する輸液ポンプ電池容量管理システムに関する何らかの教示もしくは示唆に欠けているように思われる。
【０００９】
「Ｐｏｗｅｒ  Ｍａｎａｇｅｍｅｎｔ  Ｔｅｃｈｎｉｑｕｅｓ  Ｆｏｒ  Ａｎ  Ｉｎｆｕｓｉｏｎ  Ｐｕｎｍｐ  Ｓｙｓｔｅｍ」と題するＭｉｌｌｅｒ他に付与された米国特許第８，２８７，５１４号は、ポンプシステムの動作中に実質的な電力使用量を回避できる様々な電力管理技法を開示する。Ｍｉｌｌｅｒ他のシステムは、電力供給の寿命を延ばすようにエネルギー供給を利用し、かつポンプシステムを動作させるために残っている電力量を推定できるポンプシステムを使用するものと思われる。しかし、そのシステムは、特定の輸液が、現在の電池容量に基づいて、何らかの時点で再充電する必要のあることを、輸液が開始する前にユーザに対して通知もしくは警告する輸液ポンプ電池容量管理システムに関する何らかの教示または示唆に欠けているように思われる。
【００１０】
「Ｐｏｗｅｒ  Ｍａｎａｇｅｍｅｎｔ  Ｉｎ  Ｒｅｓｐｉｒａｔｏｒｙ  Ｔｒｅａｔｍｅｎｔ  Ａｐｐａｒａｔｕｓ」と題するＨｕｂｙ他による米国特許出願公開第２０１１０１６２６４７号は、呼吸装置内の様々な要素の動作を制御するために効率的な電力消費量を提供する、電力管理制御を用いた治療を提供できる呼吸装置を開示する。例えば、そのシステムは、装置の１つまたは複数の要素を制御して、電力供給の電力消費を最小化するように、ピーク電力動作中のフローを可能にすることができる。さらにシステムは、例えば、以前に記録され、記憶された履歴的な治療セッション情報に基づいて、典型的なスリープセッションに必要な電力の推定を示唆するように思われる。しかし、システムは、特定の輸液が、現在の電池容量に基づいて再充電を必要とすることを、輸液が開始する前にユーザに対して通知もしくは警告を行う輸液ポンプ電池容量管理システムに関する何らかの教示または示唆に欠けているように思われる。
【００１１】
「Ｉｎｆｕｓｉｏｎ  Ｐｕｍｐ  ｆｏｒ  ａｔ  Ｌｅａｓｔ  Ｏｎｅ  Ｓｙｒｉｎｇｅ」と題するＧａｒｇａｎｏ他に付与された米国特許第５，８１４，０１５号は、治療方式に対する入力選択を受け入れ、かつ動作条件を表示することにより、レート、時間当たりの容積もしくは量、または薬物動態モードで動作するプロセッサ駆動の注射器ポンプを開示する。Ｇａｒｇａｎｏ他のシステムは、電池状況、残りの輸液時間などを含むいくつかのフィードバック警告および警報を提供するソフトウェアプログラムを開示するように思われる。Ｇａｒｇａｎｏ他によれば、ソフトウェアはまた、ディスプレイ上で、残りの電池寿命の連続的な指示を提供する。しかし、Ｇａｒｇａｎｏ他のシステムは、例えば、患者の歩行中に、実行中の治療を、電池の電力だけでどの位長く継続するかに関する通知、アラート、または警告を、輸液の開始前にユーザに提供する電池充電アラートシステムに関する何らかの教示または示唆に欠けているように思われる。さらにＧａｒｇａｎｏ他のシステムは、例えば、可能性のある歩行イベントを検出することにより、電池の電力単独で動作する場合、医療デバイスによる治療の予期しない、または早過ぎる停止を軽減することに関する何らかの教示または示唆に欠けているように思われる。
【００１２】
例えば、「Ｂａｔｔｅｒｙ  Ｇａｕｇｅ  Ｆｏｒ  Ａ  Ｂａｔｔｅｒｙ  Ｏｐｅｒａｔｅｄ  Ｉｎｆｕｓｉｏｎ  Ｐｕｍｐ」と題するＢｏｗｍａｎ他に付与された米国特許第５，７６４，０３４号は、例えば、歩行セッション中に正確な電池の監視を行うために、電池から利用できる電圧および電池から流れる電流を監視することにより電池に残された時間の量と、電池から流れる電流の量とを推定できるシステムを開示する。Ｂｏｗｍａｎ他のシステムは、補助電池の電力を使用することが、任意の所与の時間に電池で利用可能な電力を監視する問題を提起することを開示するように思われる。さらにシステムは、電池の電圧が、所定の値よりも減少したとき、警告を行うように思われる。しかしＢｏｗｍａｎ他のシステムは、例えば、可能性のある歩行イベントを検出することにより、電池の電力単独で動作する場合、医療デバイスによる治療の予期しない、または早過ぎる停止を軽減することに関する何らかの教示または示唆に欠けているように思われる。さらにシステムは、特定の輸液が、現在の電池容量に基づいて、輸液中の何らかの時点で再充電が必要になることを、輸液が開始する前にユーザに対して通知もしくは警告を行う輸液ポンプ電池容量管理システムの何らかの教示または示唆に欠けているように思われる。
【００１３】
「Ｉｎｆｕｓｉｏｎ  Ｐｕｍｐ  Ｗｉｔｈ  Ｂａｔｔｅｒｙ  Ｂａｃｋ−Ｕｐ」と題するＳｋａｋｏｏｎ他に付与された米国特許第５，３２１，３９２号は、ＡＣラインを介して、または電池を介して電力が供給され得る輸液ポンプを開示しており、電池が使い果たされたことをポンプが検出したとき、通知が行われる。しかし、システムは、特定の輸液が、現在の電池容量に基づいて再充電が必要になることを、輸液が開始する前にユーザに対して通知もしくは警告を行う輸液ポンプ電池容量管理システムに関する何らかの教示または示唆に欠けているように思われる。
【００１４】
例えば、「Ｃｏｎｔｒｏｌｌｅｒ  ａｎｄ  Ｐｏｗｅｒ  Ｓｏｕｒｃｅ  ｆｏｒ  Ｉｍｐｌａｎｔａｂｌｅ  Ｂｌｏｏｄ  Ｐｕｍｐ」と題するＲｕｄｓｅｒ他による米国特許出願公開第２０１２０２２６３５０号は、プログラム情報および動作モードを記憶できるように、植込み可能なデバイスの動作および電力消費量を制御するためのシステムを開示する。例えば、Ｒｕｄｓｅｒ他のシステムは、現在の電池電力の下で動作するために残されている時間の信号を生成することができ、残されているこのような時間を、ディスプレイデバイス上に表示することができ、したがって、残されている時間の値が、患者に危険なものとなり得る閾値もしくは値の範囲に達したとき、警告が出される。しかし、システムは、特定の輸液が、現在の電池容量に基づいて再充電が必要になることを、輸液が開始する前にユーザに対して通知もしくは警告を行う輸液ポンプ電池容量管理システムの何らかの教示または示唆に欠けているように思われる。
【００１５】
「Ｐｏｒｔａｂｌｅ  Ｃｏｎｔｒｏｌｌｅｒ  Ｗｉｔｈ  Ｉｎｔｅｇｒａｌ  Ｐｏｗｅｒ  Ｓｏｕｒｃｅ  Ｆｏｒ  Ｍｅｃｈａｎｉｃａｌ  Ｃｉｒｃｕｌａｔｉｏｎ  Ｓｕｐｐｏｒｔ  Ｓｙｓｔｅｍｓ」と題するＢａｃｈｍａｎ他による世界知的所有権機構公開第２０１１１０９７７４号は、制御および電源が様々な患者構成に適応できる、電池および制御電子装置を有する外部の循環サポートシステムを開示する。Ｂａｃｈｍａｎ他のシステムは、電源に基づいて残り時間を計算し、ポンプの構成要素により消費される電力を追跡し、かつ記憶するように思われる。しかし、システムは、特定の輸液が、現在の電池容量に基づいて再充電が必要になることを、輸液が開始する前にユーザに対して通知もしくは警告を行う輸液ポンプ電池容量管理システムに関する何らかの教示または示唆に欠けているように思われる。
【００１６】
「Ｗｉｒｅｌｅｓｓ  Ｐａｔｉｅｎｔ  Ｍｏｎｉｔｏｒｉｎｇ  Ａｐｐａｒａｔｕｓ  Ｕｓｉｎｇ  Ｉｎｄｕｃｔｉｖｅ  Ｃｏｕｐｌｉｎｇ」と題するＭａｌｉｎｏｕｓｋａｓ他に付与された米国特許第５，８８２，３００号は、トランスデューサが、生理学的機能を検出し、かつその出力信号を提供する無線装置を開示する。Ｍａｌｉｎｏｕｓｋａｓ他のシステムによれば、電池の電流は、電池の使用量および充電電流を追跡する電池監視回路または計器への入力用として分圧器により感知される。使用期間（ａｇｅ）および自己放電に起因して減少した電池容量に対して補償が行われる。Ｍａｌｉｎｏｕｓｋａｓ他のシステムの実施形態では、ＬＥＤインジケータが、各検出された動作の後、電池寿命の最後に、またトランスデューサが充電ステーションに配置されたとき、短い時間期間にわたって明るくなる。さらにＭａｌｉｎｏｕｓｋａｓ他によれば、電池が、その有用な充電量の最後に近いとき、少なくとも１つのＬＥＤインジケータが点滅し、分娩監視コンソールに信号が送られて、操作者に知らせる。しかし、Ｍａｌｉｎｏｕｓｋａｓ他のシステムは、例えば、患者の歩行中に、実行中の治療を、電池の電力だけでどの位長く継続するかに関する通知、アラート、または警告を、輸液の開始前にユーザに提供する電池充電アラートシステムに関する何らかの教示または示唆に欠けているように思われる。さらにＭａｌｉｎｏｕｓｋａｓ他のシステムは、例えば、可能性のある歩行イベントを検出することにより、電池の電力単独で動作する場合、医療デバイスによる治療の予期しない、または早過ぎる停止を軽減する何らかの教示または示唆に欠けているように思われる。
【００１７】
「Ｏｍｎｉｄｉｒｅｃｔｉｏｎａｌ  Ａｃｃｅｌｅｒｏｍｅｔｅｒ  Ｄｅｖｉｃｅ  ａｎｄ  Ｍｅｄｉｃａｌ  Ｄｅｖｉｃｅ  Ｉｎｃｏｒｐｏｒａｔｉｎｇ  Ｓａｍｅ」と題するＹｕｄｏｖｓｋｙ他に付与された米国特許第８，７９２，９８１号は、センサ信号に示された生成信号に応じて、可搬型医療デバイスの加速度に依存する動作を開始するように構成された内蔵加速度計を備えた可搬型医療デバイスを開示する。Ｙｕｄｏｖｓｋｙ他のシステムは、アラート条件、警報条件、通知条件、合図条件、および／または対応するアラート、警報、通知、合図、フラグ、または同様のものを生成するように医療デバイスをトリガする、またはその他の形で促す他の条件を検出するアラートモジュールを開示するように思われる。Ｙｕｄｏｖｓｋｙ他のデバイスの実施形態では、アラートモジュールにより検出される条件は、医療デバイスの動作、状況、状態、機能、または特性と関連付けることができる。Ｙｕｄｏｖｓｋｙ他によれば、アラートモジュールは、加速度計デバイス、加速度計信号処理モジュール、ならびに検出された物理的な活動および／または検出された物理的な影響に応じるための加速度計応答モジュールと協動することができる。しかしＹｕｄｏｖｓｋｙ他のシステムは、例えば、患者の歩行中に、実行中の治療を、電池の電力だけでどの位長く継続するかに関する通知、アラート、または警告を、輸液の開始前にユーザに提供する電池充電アラートシステムに関する何らかの教示または示唆に欠けているように思われる。
【００１８】
例えば、「Ａｃｃｅｌｅｒｏｍｅｔｅｒ  Ｆｅｅｄｂａｃｋ  Ｃｏｎｔｒｏｌ  Ｌｏｏｐ  ｆｏｒ  Ｐａｔｉｅｎｔ  Ａｌｅｒｔ」と題するＰｅｉｃｈｅｌ他による米国特許出願公開第２０１２０１９４３４１号は、条件を検出したことに応じて、患者の体内に動きを生ずるアラート信号を送達するためのシステムおよび方法を開示する。Ｐｅｉｃｈｅｌ他のシステムは、筋肉組織に刺激パルスを送達することにより生じた動きを感知するように配置された加速度計を開示するものと思われ、その加速度計の信号は、信号処理モジュールにより受け取られ、かつ患者に送達されたアラート信号を閉ループフィードバック法で制御するのに制御器で使用される。Ｐｅｉｃｈｅｌ他によれば、アラート条件が検出されたとき、システムは、加速度計フィードバック信号を用いて、患者アラート信号を制御するが、その場合、このようなアラートは、予想される電池寿命、必要な電池交換などを含むことができる。しかし、Ｐｅｉｃｈｅｌ他のシステムは、例えば、患者の歩行中に、実行中の治療を、電池の電力だけでどの位長く継続するかに関する通知、アラート、または警告を、輸液の開始前にユーザに提供する電池充電アラートシステムに関する何らかの教示または示唆に欠けているように思われる。
【００１９】
要約すると、知られたシステムは、概して、医療デバイスに対して残りの電池寿命を計算し、電池容量が閾値未満になったとき、警告を表示し、かつ残りの電力を予測することを含む。特定の輸液には再充電が必要になることを輸液が開始する前にユーザに警告を行い、かつ実施される特定の輸液に基づき、また現在の電池電力レベルに基づいて充電が必要になることをユーザに事前に警告する知られた輸液ポンプ電池管理システムは存在しない。さらに、ユーザが再充電警告に反応するのに代えて、再充電を計画できるようにする輸液を進めるオプション、またはユーザが再充電を計画できない場合、警告を完全に省略するオプションをユーザに提供する知られたシステムがない。電池の警告が生じたとき、ユーザが眠っている、またはその他の形で意識がない場合、これは、ユーザの医療状態における悪化を生ずるおそれがある。少なくとも上記で述べた限界に対する輸液ポンプ電池容量管理システムおよび方法が求められている。さらに上記を考慮すると、看護師に、歩行の直前に、振動性の、視覚的、かつ／または可聴のアラートにより、残りの電池充電量について注意を喚起するシステムが求められている。さらに、実行中の治療が、電池の電力だけで継続することになる予想される時間期間の推定を提供し、輸液または治療を中断することなく、患者の歩行が達成できるかどうかに対するさらなる見通しを提示して、電池電力だけで動作するとき、医療デバイスによる治療の予期しない、または早過ぎる停止を軽減できるようにするシステムが求められている。
【発明の概要】
【発明が解決しようとする課題】
【００２０】
【課題を解決するための手段】
【００２１】
以下では、本開示のいくつかの態様の基本的な理解を提供するために、本開示の簡略化した要約を示すものである。この要約は、本開示の広範囲な概要ではない。本開示の主要な、または重要な要素を特定すること、または本開示の範囲の輪郭を示すことを意図していない。以下の要約は、以下で提供されるより詳細な説明に対する前置きとして、簡単な形で本開示のいくつかの概念を提示するに過ぎない。
【００２２】
本発明の１つまたは複数の実施形態は、輸液ポンプ電池容量管理システム、および電池充電アラートシステムを含む。少なくとも１つの実施形態では、輸液ポンプ電池容量管理および電池充電アラートシステムは、患者に、薬物、栄養物、血液、または他の液体を含むことのできる液を注入する輸液ポンプを含む。少なくとも１つの実施形態では、輸液ポンプは、１つまたは複数の再充電可能な電池、ユーザインターフェースおよびユーザインターフェース画面、輸液ポンプ制御器、ならびに患者の歩行を検出する少なくとも１つの検出器を含むことができる。１つまたは複数の実施形態では、輸液ポンプ制御器は、コンピュータを含み、またユーザインターフェース、もしくはユーザインターフェース画面、またはその両方と直接、もしくは間接的に結合される。
【００２３】
本発明の少なくとも１つの実施形態によれば、輸液ポンプは、輸液入力を受け入れることができ、輸液入力は、輸液ポンプユーザインターフェースを介して、１人または複数のユーザにより入力できるプログラムされた輸液を含む。１つまたは複数の実施形態では、ユーザインターフェースは、例えば、ユーザインターフェース画面上などに、プログラムされた輸液の確認を備えた開始画面、電池容量評価オプション、電池充電インジケータ、プログラム遅延オプション、開始オプション、およびプログラムされた輸液の要件、またはそれらの任意の組合せを表示することができる。本発明の少なくとも１つの実施形態では、電池充電インジケータは、パーセンテージ、時間および分を含む時間の少なくとも一方、またはパーセンテージと時間の両方として、１つまたは複数の再充電可能な電池の残りの電力容量を示すことができる。少なくとも１つの実施形態では、輸液ポンプ制御器は、電池容量評価オプション、プログラム遅延オプション、電池充電インジケータ、プログラムされた輸液の要件、および開始オプションのうちの１つまたは複数のものを選択する選択入力を受け入れ、かつ各オプションをアクティブにする（ａｓｓｅｒｔ）ことができる。
【００２４】
１つまたは複数の実施形態では、輸液ポンプ制御器が、開始オプションをアクティブにした場合、プログラムされた輸液が輸液ポンプにより実行され得る。輸液ポンプ制御器が遅延オプションをアクティブにしたとき、本発明の実施形態では、輸液遅延をプログラムすることができ、輸液ポンプ制御器は、次いで、電池容量評価オプションを選択する、または開始オプションを選択することができる。輸液ポンプ制御器が電池容量評価オプションを選択した場合、１つまたは複数の実施形態では、輸液ポンプ制御器は、プログラムされた輸液を実行するために予測される電力容量要件を計算し、１つまたは複数の再充電可能な電池の残りの電力容量を計算し、再充電可能な電池の計算された残りの電力容量と、計算された予測される電力容量要件とを比較し、かつ輸液ポンプが、残りの電力容量だけに基づいて、プログラムされた輸液を完全に実行できるかどうかを判定することができる。本発明の少なくとも１つの実施形態では、プログラムされた輸液を実行するための予測される電力容量要件を計算することは、流量に基づくことができる。予測される電力容量要件に対する他の入力は、輸液タイプ（連続的、断続的など）、注入される容積、輸液時間、注入される溶液のタイプ、およびバックライト設定または無線通信機能などのポンプ構成設定を含むこともできる。他の入力は、例えば、予想される容量要件を変更するために、輸液で前に使用されていた高レベルのユーザインターフェースを外挿する、患者または治療特有のものとすることができる。
【００２５】
１つまたは複数の実施形態によれば、輸液ポンプ制御器が、輸液ポンプは、残りの電力容量だけを使用して、プログラムされた輸液の必要な残りの持続期間などを有するプログラムされた輸液を完全に実行する可能性がある、または実行できると判定した場合、輸液ポンプ制御器は、開始オプションをアクティブにすることができ、またプログラムされた輸液は、例えば、残りの電力容量を用いるだけで、輸液ポンプにより実行することができる。
【００２６】
輸液ポンプ制御器が、輸液ポンプは、残りの電力容量を用いるだけではプログラムされた輸液を完全に実行できないと判定した場合、本発明の１つまたは複数の実施形態では、輸液ポンプ制御器は、開始オプションをアクティブにすることができ、プログラムされた輸液は、輸液ポンプにより実行され、かつプログラムされた輸液を完全に実行するためには再充電時間が必要になり得るというメッセージなどの警告をユーザに提供することができる。このことは、輸液の開始前に行われるので、ユーザは、例えば、ポンプ上で、もしくは外部デバイスを介して警報を設定することにより、または確実に再充電イベントが行われることを他のユーザの注意を喚起することにより、再充電を計画することができる。このように、本発明の実施形態は、警告のタイミングによっては、ユーザが聞くことができない、もしくは目を覚まさない可能性のある、または例えば、車の運転時など、応ずることができない警告に反応することに代えて、ユーザは再充電を事前に計画できるようになる。
【００２７】
本発明の少なくとも１つの実施形態では、輸液ポンプ制御器が、輸液ポンプは、残りの電力容量を使用するだけで、プログラムされた輸液を完全に実行できると判定したとき、輸液ポンプ制御器は、ユーザインターフェース画面に、プログラムされた輸液を実行するのに十分な残りの電力容量を表示することができる。
【００２８】
１つまたは複数の実施形態では、警告は、インターフェース画面上に通知として表示することができる。本発明の実施形態では、通知は、残りの電力容量が、プログラムされた輸液を実行するのに不十分であること、プログラムされた輸液の実行中に再充電時間が必要であること、および１つまたは複数の再充電可能な電池が消耗される前の時間、または１つまたは複数の再充電可能な電池が安全レベル内で消耗される前の時間を決定することを含むことができる。少なくとも１つの実施形態では、再充電時間は、１つまたは複数の再充電可能な電池の部分的な再充電、または１つまたは複数の再充電可能な電池の完全な再充電の一方または両方を含むことができる。
【００２９】
少なくとも１つの実施形態によれば、プログラムされた輸液を完全に実行するためには、再充電時間が必要であるという警告が行われた場合、輸液ポンプは、第１の再充電状態または第２の再充電状態に入ることができる。１つまたは複数の実施形態では、第１の再充電状態は、プログラムされた輸液を完全に実行するために、１つまたは複数の再充電可能な電池の部分的な再充電、または１つまたは複数の再充電可能な電池の完全な再充電を含むことができ、また第２の再充電状態は、１つまたは複数の再充電可能な電池の完全な再充電、およびプログラムされた輸液の実行中に、１つまたは複数の再充電可能な電池の連続的な再充電を含むことができる。本発明の実施形態では、第１の再充電状態および第２の再充電状態は、１つまたは複数の再充電可能な電池を部分的に再充電する、１つまたは複数の再充電可能な電池を完全に再充電する、または１つまたは複数の再充電可能な電池を連続的に再充電するために、輸液ポンプのプラグをＡＣ電源に差し込むことを含むことができる。これは、ユーザが輸液のエネルギー要件を満たすのにちょうど十分な容量を電池に提供できるようにし、それは、例えば、当技術分野で知られていないが、完全な充電が必要ではない場合、輸液ポンプをＡＣコンセントもしくは他の電源に結合する時間量を最小化しながら、何らかの安全マージンを含むことができる。例えば、いくつかの実施形態は、自動車もしくは航空機の電源コンセント、または任意の他のタイプの再充電装置からの充電を可能にすることができる。
【００３０】
少なくとも１つの実施形態では、第１の再充電状態中に、輸液ポンプ制御器は、プログラムされた輸液を実行する前に、１つまたは複数の再充電可能な電池を部分的に、もしくは完全に再充電することができる、またはプログラムされた輸液の実行中に、１つまたは複数の再充電可能な電池を部分的に、もしくは完全に再充電することができる。第１の再充電状態中に、本発明の実施形態では、輸液ポンプ制御器は、１つまたは複数の電池の残りの電力容量が、プログラムされた輸液を完全に実行するには十分であるとき、１人または複数のユーザに通知することができる。１つまたは複数の実施形態では、第１の再充電状態中に、１人または複数のユーザにより、１つまたは複数の再充電可能な電池の部分的な、または完全な再充電を延期することができ、輸液ポンプは時間延期値を決定し、かつ１人または複数のユーザに、決定された時間延期値を通知することができ、また決定された時間延期値は、部分的な再充電もしくは完全な再充電が必要になる前に、輸液ポンプが安全に動作し続けることが可能な値とすることができる。１つまたは複数の実施形態では、１人または複数のユーザにより延期された再充電は、プログラムされた輸液の実行中に行うこともできる。
【００３１】
少なくとも１つの実施形態によれば、第２の再充電状態中に、輸液ポンプ制御器は、プログラムされた輸液を実行する前に、１つまたは複数の再充電可能な電池を部分的に、もしくは完全に再充電し、次いで、プログラムされた輸液の実行中に、１つまたは複数の再充電可能な電池を連続的に充電することにより、またはプログラムされた輸液の実行中に、１つまたは複数の再充電可能な電池を部分的に、もしくは完全に再充電し、かつプログラムされた輸液の実行中に、１つまたは複数の再充電可能な電池を連続的に充電することにより、または１つまたは複数の再充電可能な電池の再充電を延期することにより、１つまたは複数の再充電可能な電池の再充電を行うことができる。１つまたは複数の実施形態では、輸液ポンプは、時間延期値を決定することができ、かつ１人または複数のユーザに決定された時間延期値を通知することができ、この場合、決定された時間延期値は、部分的な再充電または完全な再充電が必要となる前に、輸液ポンプが、安全に動作し続けることが可能な値とすることができる。
【００３２】
本発明の１つまたは複数の実施形態によれば、少なくとも１つの検出器が患者の歩行を検出したとき、輸液ポンプ制御器は、プログラムされた輸液を完全に実行するのに必要な、プログラムされた輸液の残りの持続期間を計算し、かつプログラムされた輸液の、計算された必要な残りの持続期間をユーザインターフェース画面上に表示することができる。少なくとも１つの実施形態では、輸液ポンプ制御器は、プログラムされた輸液を完全に実行するために予測される電力容量要件を計算することができ、また１つまたは複数の再充電可能な電池の残りの電力容量を計算することができる。１つまたは複数の実施形態では、輸液ポンプ制御器は、計算された予測される電力容量要件を、１つまたは複数の再充電可能な電池の計算された残りの電力容量と比較し、それにより、プログラムされた輸液の計算された必要な残りの持続期間と、１つまたは複数の再充電可能な電池の計算された残りの電力容量との比較に基づいて、輸液ポンプが、プログラムされた輸液を完全に実行できるかどうかを判定することができる。
【００３３】
１つまたは複数の実施形態によれば、輸液ポンプ制御器が、輸液ポンプは、残りの電力容量を用いるだけで、プログラムされた輸液の必要な残りの持続期間を有するプログラムされた輸液を完全には実行できないと判定した場合、輸液ポンプ制御器は、不十分な残りの電力容量を示す警告を１人または複数のユーザに提供する。本発明の少なくとも１つの実施形態では、輸液ポンプ制御器が、輸液ポンプは、残りの電力容量を用いるだけでは、プログラムされた輸液の必要な残りの持続期間を有するプログラムされた輸液を完全に実行できないと判定したとき、輸液ポンプ制御器は、警告を行うことができる。警告は、プログラムされた輸液の必要な残りの持続期間を有するプログラムされた輸液を完全に実行するために、プログラムされた輸液を開始する前に、１つまたは複数の再充電可能な電池に必要な充電のための時間期間と、プログラムされた輸液の必要な残りの持続期間を有するプログラムされた輸液を完全に実行するために、輸液ポンプの１つまたは複数の再充電可能な電池の再充電が、プログラムされた輸液の実行中に必要になる予測される時間との一方または両方を含むことができる。
【００３４】
少なくとも１つの実施形態では、患者の歩行を検出する少なくとも１つの検出器は、加速度計および無線ネットワークインターフェースの一方または両方を含むことができる。１つまたは複数の実施形態によれば、患者の歩行を検出する少なくとも１つの検出器は、輸液ポンプから電力入力が外されたことを検出するセンサを含むことができる。１つまたは複数の実施形態では、加速度計が、輸液ポンプに結合された患者の歩行を示す加速度を検出するように、加速度計をコンピュータと結合することができる。少なくとも１つの実施形態では、無線インターフェースが、患者の歩行を示すことのできる、患者に結合された輸液ポンプの無線接続性の変化を検出するように、無線ネットワークインターフェースがコンピュータに結合される。
【００３５】
１つまたは複数の実施形態によれば、プログラムされた輸液中に、少なくとも１つの検出器は、５分未満の輸液ポンプからの電力入力の除去に基づき、加速度計により検出された少なくとも１０秒間の持続する１つまたは複数の輸液ポンプの動きに基づき、また無線ネットワークインターフェースにより検出された無線接続性の変化の３イベントに基づく輸液ポンプの動きに基づき、歩行を検出することができる。時間の持続期間、または加速度値、または無線接続の変化に関するこれらのイベントに対する他の閾値は、本発明に沿ったものである。これらのセンサ、値、および閾値の任意の組合せは、本発明の任意の１つまたは複数の実施形態で使用することができる。
【００３６】
少なくとも１つの実施形態によれば、輸液ポンプは、ユーザインターフェース画面上に、プログラムされた輸液を完全に実行するために、プログラムされた輸液の計算された必要な残りの持続期間を時間および分で表示する残り時間カウンタと、治療進度バーとの一方または両方を表示することができる。少なくとも１つの実施形態では、治療進度バーは、プログラムされた輸液を完全に実行するために必要なプログラムされた輸液の計算された残りの持続期間、１つまたは複数の再充電可能な電池の計算された残りの電力容量、およびプログラムされた輸液の進度を示す移動するバーを表示する棒グラフのうちの１つまたは複数のものを含むことができる。
【００３７】
本発明の１つまたは複数の実施形態では、棒グラフは、輸液の連続する輸液時間など、輸液の第１の治療オプション時間を表示する第１のセグメントと、静脈開放維持（ＫＶＯ）時間など輸液の第２の治療オプション時間を表示する第２のセグメントと、１つまたは複数の再充電可能な電池の残りの電力容量が、ゼロアンペア時もしくはワット時になる、または実質的に消耗することになる場合を示す、第１のセグメントおよび第２のセグメントの一方または両方に沿って強調される第３のセグメントであって、わずかな容量が残っている場合であっても動作するには不十分である、またはその他の形で輸液を完了するには不十分である第３のセグメントとのうちの１つまたは複数のものを含むことができる。少なくとも１つの実施形態では、輸液の連続的な輸液時間、およびＫＶＯ時間は、流量プロットとして表示することができる。ＫＶＯではなく、輸液オプションの他の目標も利用可能であり、同様に実施することができる。例えば、プログラムされた輸液治療の現在の送達流量を維持する「流量を継続する」オプションを提供することができ、または例えば、「治療を停止する」オプションを提供することができる。
【００３８】
少なくとも１つの実施形態によれば、輸液ポンプ制御器は、プログラムされた輸液を完全に実行するために、プログラムされた輸液の必要な残りの持続期間、プログラムされた輸液を実行するために予測される電力容量要件、および１つまたは複数の再充電可能な電池の残りの電力容量における１つまたは複数の変更を決定し、かつ計算することができる。１つまたは複数の実施形態では、輸液ポンプ制御器が、１つまたは複数の変更を決定し、かつ計算したとき、輸液ポンプ制御器は、決定され、かつ計算された１つまたは複数の変更に基づき、更新された情報を用いて、１人または複数のユーザに注意を喚起することができる。
【００３９】
本開示のこれらの、かつ他の実施形態の細部は、添付の図面および以下の記述に記載されている。本開示の諸態様の他の特徴および利点は、その記述、図面、および特許請求の範囲から明らかになろう。
【００４０】
本発明の上記の、および他の態様、特徴、ならびに利点は、添付の図面と共に示された、以下の本発明のより詳細な記述からさらに明らかになろう。
【図面の簡単な説明】
【００４１】
【図１】輸液ポンプ電池容量管理および電池充電アラートシステムの例示的なアーキテクチャ図である。
【図１Ａ】本発明の目標とする用途になると思われる携帯型ポンプの１つまたは複数の実施形態の正面図である。
【図２】本システムおよび方法の主な要素に対する流れ図である。
【図３】輸液ポンププログラマが、輸液ポンプは、プログラムされた輸液を完全に実行できないと判定したときの本システムおよび方法の主な要素に対する流れ図である。
【図４】輸液ポンププログラマが、輸液ポンプは、プログラムされた輸液を完全には実行できないこと、および再充電期間が必要であると判定したときの本システムおよび方法の主な機能要素に対する流れ図である。
【図５】薬物ライブラリエディタにおける輸液パラメータ画面の実施形態を示す図である。
【図６】ポンプ上の電池設定画面の実施形態を示す図である。
【図７】輸液ポンプユーザインターフェース画面の例示的な図である。
【図８】警告を表示する輸液ポンプユーザインターフェース画面の例示的な図である。
【図９】プログラムされた輸液の残りの持続期間、および１つまたは複数の再充電可能な電池の残りの電力容量を表示する輸液ポンプユーザインターフェース画面の例示的な図である。
【図１０】プログラムされた輸液に対する残り時間カウンタ、および１つまたは複数の再充電可能な電池の残りの電力容量を表示する輸液ポンプユーザインターフェース画面の例示的な図である。
【図１１】プログラムされた輸液に対する治療進度バー、および１つまたは複数の再充電可能な電池の残りの電力容量を表示する輸液ポンプユーザインターフェース画面の例示的な図である。
【図１２】プログラムされた輸液の１つまたは複数の要件を変更するためのオプション、および１つまたは複数の再充電可能な電池の残りの電力容量を表示する輸液ポンプユーザインターフェース画面の例示的な図である。
【図１３】プログラムされた輸液の１つまたは複数の要件が変更された後の、プログラムされた輸液の残りの持続期間、および１つまたは複数の再充電可能な電池の残りの電力容量を表示する輸液ポンプユーザインターフェース画面の例示的な図である。
【図１４】本発明の１つまたは複数の実施形態に従って、外部サーバ、および電池容量モデルを計算し、かつ／または記憶するデータベースと通信状態にある、電池使用量を記録し、かつ電池容量を計算するための輸液ポンプ電池充電アラートシステムのアーキテクチャ図である。
【発明を実施するための形態】
【００４２】
輸液ポンプ電池容量管理および電池充電アラートシステムならびに方法が、次に述べられる。以下の例示的な記述においては、本発明の実施形態のより十分な理解を提供するために、数多くの特有の細部が述べられる。しかし、本発明は、本明細書で述べられる特有の細部のすべての態様を組み込むことなく実施できることは、当業者であれば明らかであろう。他の例では、当業者によく知られた特有の機能、量、または測定値は、本発明をあいまいにすることのないように、詳細には述べられていない。本明細書で本発明の例が述べられているが、特許請求の範囲、および任意の均等な形態の完全な範囲が、本発明の境界を定義するものであることに読者は留意されたい。
【００４３】
図１は、本発明の１つまたは複数の実施形態による輸液ポンプ電池容量管理および電池充電アラートシステムのアーキテクチャ図を示す。図１で示すように、本発明の少なくとも１つの実施形態は、薬物、栄養物、血液、または他の液体を含むことのできる液を患者に注入する輸液ポンプ１０１を含む輸液ポンプ電池充電アラートシステム１００を含む。少なくとも１つの実施形態では、輸液ポンプ１０１は、１つまたは複数の再充電可能な電池１０２、ユーザインターフェース１０３およびユーザインターフェース画面１０４、輸液ポンプ制御器１０５、ならびに患者の歩行を検出する少なくとも１つの検出器１０６を含む。１つまたは複数の実施形態では、輸液ポンプ制御器１０５はコンピュータを含み、またユーザインターフェース１０３およびユーザインターフェース画面１０４と直接、または間接的に結合される。アーキテクチャの１つまたは複数の実施形態に関する図１４も参照のこと。
【００４４】
図１Ａは、本発明の１つまたは複数の実施形態の斜視図を示している。図１で示すように、少なくとも１つの実施形態では、輸液ポンプ電池容量管理および電池充電アラートシステムは、１つまたは複数の再充電可能な電池および輸液ポンプ制御器を内部に含み、かつ保持する輸液ポンプ１００を含む。１つまたは複数の実施形態では、輸液ポンプ装置は、スピーカ、例えば、タッチスクリーンなどの画面を含むことのできるユーザインターフェース１０１、１つまたは複数のボタンを含むことができ、またコンピュータ、マイクロプロセッサ、制御器、またはユーザインターフェース１０１と結合され得る任意の他のタイプのプログラム可能な装置を内部に含み、かつ保持することができる。
【００４５】
少なくとも１つの実施形態では、少なくとも１つの検出器１０６が、患者の歩行を検出するように構成される。検出器は、入力電力センサ、加速度計、および無線ネットワークインターフェースのうちの１つまたは複数のものを含むことができる。１つまたは複数の実施形態によれば、患者の歩行を検出する少なくとも１つの検出器１０６は、輸液ポンプからの電力入力の除去を検出するセンサを含むことができる。１つまたは複数の実施形態では、加速度計は、輸液ポンプと結合された患者の歩行を示す加速度を検出するように、コンピュータと結合することができる。少なくとも１つの実施形態では、無線ネットワークインターフェースは、患者と結合された輸液ポンプ１０１の無線接続性の変化を検出するようにコンピュータに結合される。
【００４６】
１つまたは複数の実施形態によれば、プログラムされた輸液中に、少なくとも１つの検出器１０６は、５分未満の輸液ポンプ１０１からの電力入力の除去に基づき、加速度計により検出された少なくとも１０秒間の持続する１つまたは複数の輸液ポンプの動きに基づき、また無線ネットワークインターフェースにより検出された無線接続性の変化の３イベントに基づく輸液ポンプの動きに基づき、歩行を検出することができる。時間の持続期間、または加速度値、または無線接続の変化に関するこれらのイベントに対する他の閾値も、本発明に沿ったものである。例えば、入力電力センサにより検出されるように、入力電力が失われ、かつ加速度計が所定の閾値を超える加速度を検出した場合、または例えば、積分もしくは二重積分されたものが、各所定の閾値を超える速度もしくは動きを示す場合、または無線インターフェースが、所定の閾値を超えるいくつかの無線ネットワークの変化を検出した場合、患者の歩行を示すことができる。１つまたは複数の実施形態では、これらの値の任意の組合せが検出され、かつ相互に関連付けられた場合、歩行を示すことができ、また電池の容量に関するアラートを提供するために、電池の計算を始めることができる。
【００４７】
図２は、本発明の１つまたは複数の実施形態によるシステムおよび方法の主な要素に対する流れ図を示している。図２で示すように、本発明の少なくとも１つの実施形態によれば、ステップ２０１で、輸液ポンプ１００は、輸液入力を受け取ることができ、輸液入力は、輸液ポンプユーザインターフェース１０１を介して、１人または複数のユーザにより入力され得るプログラムされた輸液を含む。他の実施形態では、プログラムされた輸液は、輸液ポンプからは遠隔の位置にあるコンピュータから輸液ポンプ１００に電子的にダウンロードすることができる。ステップ２０１で、本発明の実施形態では、輸液ポンプ制御器は、プログラムされた輸液を再検討することができ、また再検討の結果は、ユーザインターフェース１０１の確認画面上に提示することができる。ステップ２０２で、１つまたは複数の実施形態では、システムは、例えば、プログラムされた輸液の確認を備える開始画面、電池容量評価オプション、プログラム遅延オプション、および開始オプションのうちの１つまたは複数のものを表示できるユーザインターフェース１０１を介して、電池容量評価オプションを表示する、または任意の他の方法で提供することができる。少なくとも１つの実施形態では、輸液ポンプ制御器は、電池容量評価オプション、プログラム遅延オプション、および開始オプションのうちの１つまたは複数のものを選択する選択入力を受け入れ、各オプションをアクティブにすることができる。
【００４８】
１つまたは複数の実施形態では、輸液ポンプ制御器が、開始オプション２０３をアクティブにした場合、プログラムされた輸液は、輸液ポンプ１００により実行することができ、輸液が開始される。輸液ポンプ制御器が、遅延オプション２０４をアクティブにした場合、本発明の実施形態では、輸液遅延をプログラムすることができ２０５、輸液ポンプ制御器は、次いで電池容量評価オプションを選択する、または開始オプションを選択することができる。輸液ポンプ制御器が、電池容量評価オプション２０６を選択またはアクティブにした場合、１つまたは複数の実施形態では、輸液ポンプ制御器は、２０６ａで電池容量評価を実施し、例えば、要求として、２０７で、プログラムされた輸液を実行するための予測される電力容量要件を計算し、例えば、供給として、２０８で、１つまたは複数の再充電可能な電池の残りの電力容量を計算し、２０９で、計算された予測される電力容量要件を、１つまたは複数の再充電可能な電池の計算された残りの電力容量と比較することができる。少なくとも１つの実施形態によれば、輸液ポンプ制御器は、次いで、輸液ポンプが、残りの電力容量にだけ基づいてプログラムされた輸液を完全に実行できるかどうかを判定することができる。本発明の少なくとも１つの実施形態では、プログラムされた輸液を実行するために予測される電力容量要件を計算することは、流量に基づくことができる。電池容量評価に対する他の入力は、輸液の長さ、輸液の容積、ポンプのバックライトもしくは無線設定、ユーザインターフェース活動レベル、または当業者であれば理解される電力使用量に影響を与える任意の他のパラメータを含むこともできる。
【００４９】
１つまたは複数の実施形態によれば、２１０で、輸液ポンプ制御器が、輸液ポンプは、残りの電力容量だけを用いて、プログラムされた輸液を完全に実行できると判定した場合、輸液ポンプ制御器は、１人または複数のユーザに通知することができ、輸液ポンプ制御器は、開始オプションをアクティブにすることができ、かつプログラムされた輸液は、何らかの充電もしくは再充電を使用することなく、残りの電力容量を用いるだけで輸液ポンプにより実行することができる。したがって、少なくとも１つの実施形態では、患者などの１人または複数のユーザのうちのユーザは、プログラムされた輸液に対する大幅な変更および／またはユーザインターフェース１０１への大幅な変更を受けないという想定の下に、さらなる電池充電を必要とすることなく、処方されプログラムされた輸液を受けることができる。本発明の少なくとも１つの実施形態では、輸液ポンプ制御器は、利用可能な、または残りの電池電力容量により、複数の輸液を管理することができる。少なくとも１つの実施形態によれば、輸液ポンプ１０１が使用状態にない場合、輸液ポンプ１０１は、プログラムされた、または処方された輸液の開始時に、１つまたは複数の再充電可能な電池がフル充電状態になるように、充電することができる。
【００５０】
輸液ポンプ制御器が、２１１で、輸液ポンプは、残りの電力容量を用いるだけではプログラムされた輸液を完全に実行できないと判定した場合、本発明の実施形態では、輸液ポンプ制御器は、例えば、ユーザからの任意のタイプの入力を受け入れた後、開始オプションをアクティブにすることができ、またプログラムされた輸液は、例えば、１つまたは複数の再充電可能な電池の充電または再充電を使用することなく、輸液ポンプ１００により実行することができる。少なくとも１つの実施形態では、輸液ポンプ制御器は、ユーザが再充電または充電を遅延させることを選んだことを示す任意のタイプの入力を受け入れることができ、かつ／またはプログラムされた輸液を完全に実行するには、１つまたは複数の部分的な再充電サイクル、もしくは完全な再充電サイクルなど、再充電時間が必要になり得るという警告を１人または複数のユーザに提供することができる。１つまたは複数の実施形態では、警告は、例えば、典型的なオーディオの「警告」または「警報」を使用しない再充電戦略に従って、ユーザに対して事前対応的に注意を喚起するメッセージとすることができる。
【００５１】
本発明の少なくとも１つの実施形態では、２１０で、輸液ポンプ制御器が、輸液ポンプは、残りの電力容量を用いるだけでプログラムされた輸液を完全に実行できると判定したとき、輸液ポンプ制御器は、プログラムされた輸液を実行するのに十分な残りの電力容量をユーザインターフェース画面上に表示することができる。
【００５２】
１つまたは複数の実施形態では、警告を、１つまたは複数の通知もしくはメッセージとして、ユーザインターフェース画面に表示することができる。通知は、本発明の実施形態では、残りの電力容量はプログラムされた輸液を実行するには不十分であること、プログラムされた輸液の実行中に再充電時間が必要であること、ならびに１つまたは複数の再充電可能な電池が消耗される前の時間を決定すること、またはユーザが構成可能であることもないこともあり得る安全レベル内で、１つまたは複数の再充電可能な電池が消耗される前の時間を決定することを含むことができる。例えば、安全レベル内で１つまたは複数の再充電可能な電池が消耗される前の時間は、残りの輸液の約３０分、または本発明の範囲内の任意の他の値とすることができる。１つまたは複数の実施形態では、１つまたは複数の再充電可能な電池は、プログラムされた輸液が、例えば、１つまたは複数の再充電可能な電池仕様よりも長い持続期間のものであるとき、または１つまたは複数の再充電可能な電池が完全に充電されていない場合、またはその両方の組合せであるとき、プログラムされた輸液をサポートするための十分な電力容量を提供できないこともある。少なくとも１つの実施形態では、再充電時間は、１つまたは複数の再充電可能な電池の部分的な再充電、または１つまたは複数の再充電可能な電池の完全な再充電の一方または両方を含むことができる。
【００５３】
図３は、本発明の１つまたは複数の実施形態に従って、輸液ポンププログラマが、輸液ポンプは、プログラムされた輸液を完全に実行できないと判定したときのシステムおよび方法の主な要素に対する流れ図を示している。図３で示すように、少なくとも１つの実施形態によれば、３０１で、残りの電池電力容量が、プログラムされた輸液を完全に実行するには不十分であるとの判定が行われた後、プログラムされた輸液を完全に実行するためには再充電時間が必要であるという警告が行われたとき、輸液ポンプは、第１の再充電状態に入る３０２、または第２の再充電状態に入る３０３ことができる。
【００５４】
１つまたは複数の実施形態では、３０２で、第１の再充電状態は、プログラムされた輸液を完全に実行するために、１つまたは複数の再充電可能な電池の部分的な再充電、または１つまたは複数の再充電可能な電池の完全な再充電を含むことができ、また３０３で、第２の再充電状態は、１つまたは複数の再充電可能な電池の完全な再充電と、プログラムされた輸液を完全に実行するには、完全な再充電だけでは不十分なこともあるため、プログラムされた輸液の実行中における１つまたは複数の再充電可能な電池の連続的な再充電とを含むことができる。本発明の少なくとも１つの実施形態では、第１の再充電状態は、輸液ポンプが第１の再充電で充電された場合、残りの利用可能な電池電力容量が、プログラムされた輸液を実行するために、第２の再充電なしに、輸液ポンプ１００に電力を供給できることを含むことができる。本発明の少なくとも１つの実施形態では、第２の再充電状態は、輸液ポンプが、輸液を開始する前に、また全体を通して、１つまたは複数の再充電可能な電池が完全に充電されていた場合であっても、プログラムされた輸液の実行中に再充電する期間なしには、プログラムされた輸液を実行できない可能性のあることを含むことができる。
【００５５】
本発明の実施形態では、第１の再充電状態および第２の再充電状態は、１つまたは複数の再充電可能な電池を部分的に再充電する、１つまたは複数の再充電可能な電池を完全に充電する、または１つまたは複数の再充電可能な電池を連続的に再充電するために、輸液ポンプのプラグをＡＣ電源に差し込むことを含むことができる。１つまたは複数の実施形態では、第１の再充電状態および第２の再充電状態中に、輸液ポンプ制御器は、１人または複数のユーザを介して、実行されるプログラムされた輸液の前、もしくはその間に、輸液に完全に電力を供給するのに十分であり得る部分的な再充電を適用することができ、完全な再充電と比較して、患者などの１人または複数のユーザがＡＣ電力に接続するのに必要となり得る時間を最小化することができる。したがって、ＡＣ電力につながれる患者の時間が最小化されるので、生活の質が向上する。
【００５６】
少なくとも１つの実施形態によれば、１つまたは複数の再充電可能な電池は、プログラムされた輸液を完全に実行するためには、完全に充電される必要のない可能性があり、輸液中の適切な時期に行われる部分的な再充電が、短くかつ有効であり得る。例えば、輸液ポンプ１００は、約４時間で完全に充電することができるが、輸液ポンプ１００は、約２．５時間内に８５％の充電量に達し、したがって、輸液において戦略的に調整され、かつ実施される約３０分から６０分の充電は、プログラムされた輸液を安全かつ正確に、完全に実行するために利用可能な残りの電池電力容量を増加させるのに十分である可能性がある。
【００５７】
少なくとも１つの実施形態では、第１の再充電状態中に、３０４で、輸液ポンプ制御器は、プログラムされた輸液の実行前に、１つまたは複数の再充電可能な電池を部分的に、もしくは完全に再充電することができる、または３０５で、プログラムされた輸液の実行中に、１つまたは複数の再充電可能な電池を部分的に、もしくは完全に再充電することができる。プログラムされた輸液の実行前の再充電サイクル３０４の後、または３０５で、輸液を開始しながら再充電サイクルを開始した後、輸液ポンプ制御器は、ＡＣ電力を用いて１つまたは複数の再充電可能な電池を再充電することができ、また３０７で、輸液ポンプ制御器は、１つまたは複数の電池の残りの電力容量が、プログラムされた輸液を完全に実行するのに十分であるとき、１人または複数のユーザに通知することができる。少なくとも１つの実施形態では、輸液ポンプ制御器は、次いで、３０８で、輸液を実行しかつ開始する、または輸液を続けることができる。例えば、輸液ポンプ１００は、最大の利用可能な残りの電池電力容量まで完全に再充電する必要はなく、必要に応じた安全マージンを含めて、残りの、かつ現在の電池電力容量が、プログラムされた輸液を完全に実行するのに十分になるまで、ＡＣ電力を用いて充電することができる。したがって、輸液ポンプ制御器は、プログラムされた輸液を完了するために十分な電池電力用量が利用可能なので、ＡＣ電力を接続解除できる場合、１人または複数のユーザに通知することができる。少なくとも１つの実施形態では、１人または複数のユーザのうちのユーザは、１つまたは複数の再充電可能な電池の十分な再充電の前に終了することを選択することができる。１つまたは複数の実施形態では、例えば、前に述べたように、電力使用量に影響を与えることのできる任意の、またはすべてのパラメータに基づいて、例えば２０６ａで、電池用量は、少なくとも周期的に評価される。
【００５８】
１つまたは複数の実施形態では、３０６で、第１の再充電状態中に、輸液ポンプは、１人または複数のユーザにより、１つまたは複数の再充電可能な電池の部分的な、または完全な再充電を延期することができ、輸液ポンプは、時間延期値を決定し、かつ決定された時間延期値を１人または複数のユーザに通知することができ、また決定された時間延期値は、部分的な再充電または完全な再充電を必要とする前に、輸液ポンプが安全に動作し続けることのできる値とすることができる。１人または複数のユーザによる延期された再充電は、１つまたは複数の実施形態では、プログラムされた輸液の実行中に行うことができる。少なくとも１つの実施形態では、延期段階３０６中に、輸液ポンプ制御器は、残りの利用可能な電池電力容量が、プログラムされた輸液を完全に実行するには不十分であることを１人または複数のユーザに通知することができる。通知はまた、輸液を確実に完了し得るために、再充電するための時間と、その時間における再充電の持続期間を示唆することができ、それは当技術分野では知られていない。
【００５９】
延期段階３０６の後、輸液ポンプ制御器は、ＡＣ電力を用いて、１つまたは複数の再充電可能な電池を再充電することができ、また輸液ポンプ制御器は、１人または複数のユーザに、１つまたは複数の電池の残りの電力容量が、プログラムされた輸液を完全に実行するのに十分になったとき、通知することができ、かつ１つまたは複数の再充電可能な電池が完全な再充電状態にあるかどうかにかかわらず、ＡＣ電力の接続が解除された可能性のあることを通知することができる。少なくとも１つの実施形態では、１人または複数のユーザのうちのユーザは、１つまたは複数の再充電可能な電池の十分な再充電を行う前に終了することを選択し、かつステップ３０８で、再充電を延期し、輸液を開始することができる。本発明の実施形態では、３０７で、ＡＣ電力の再充電時間中に、またはＡＣ電力の再充電時間が経過した後に、輸液ポンプ制御器は、３０６で、１人または複数のユーザにより、１つまたは複数の再充電可能な電池の部分的な、または完全な再充電を延期し続けることができ、３０８で、輸液を開始する、または輸液を続けることができる。
【００６０】
ステップ３０６中に、１つまたは複数の実施形態では、患者などの１人または複数のユーザのうちのユーザは、輸液ポンプ１００に、好ましい充電開始時間を通知することができ、また患者は、必要な残りの電池電力容量を増加するのに必要な可能性の高い充電時間に関する出力を輸液ポンプ制御器から受け取ることができる。少なくとも１つの実施形態では、患者は、利用可能な連続する充電時間（例えば、４５分）を入力することができ、その場合、輸液ポンプ制御器は、このような入力を受け取り、かつ再充電期間に対する最適な開始時間、および／または受け入れ可能な再充電開始時間範囲の推奨を出力することができる。１つまたは複数の実施形態によれば、ユーザインターフェース画面は、プログラムされた輸液を完全に実行する、もしくは完了するためには部分的な再充電が必要であること、またはプログラムされた輸液を完全に実行するための十分な電池電力容量が残っていることを示すことができる。少なくとも１つの実施形態では、輸液ポンプ１００は、プログラムされた輸液を実行するための予測される電力容量要件を計算し、１つまたは複数の再充電可能な電池の残りの電力容量を計算し、かつ計算された予測される電力容量要件を、１つまたは複数の再充電可能な電池の計算された残りの電力容量と比較するための、電力容量管理ソフトウェアを含むことができる。少なくとも１つの実施形態によれば、電力容量管理ソフトウェアは、上記で論じたように、輸液ポンプが、残りの電力容量にだけ基づいて、プログラムされた輸液を完全に実行できるかどうかを判定するために使用することができる。これは、電池が外部電源に結合される時間量をユーザが最小化できるようにするものであり、当技術分野で知られていない。こうすることはまた、最大の時間量の間、ユーザに可動性のある状態に留まる自由を与える。１つまたは複数の実施形態では、電力容量管理ソフトウェアは、能動的に利用可能に、または使用不能にすることができる。
【００６１】
図４は、本発明の１つまたは複数の実施形態に従って、輸液ポンププログラマが、輸液ポンプは、プログラムされた輸液を完全に実行することができず、再充電期間が必要であると判定した場合のシステムおよび方法の主な機能要素の流れ図を示す。図４で示すように、また図３に関して上記で述べたように、４０１で、残りの電池電力容量が、プログラムされた輸液を完全に実行するには不十分であるという判定が行われた後、プログラムされた輸液を完全に実行するには再充電時間が必要であるという警告が行われたとき、輸液ポンプは、図３に関して上記で論じたように、第１の再充電状態４０２、または第２の再充電状態４０３に入ることができる。少なくとも１つの実施形態によれば、第２の再充電状態中に、輸液ポンプ制御器は、４０４で、プログラムされた輸液の実行前に、１つまたは複数の再充電可能な電池を部分的に、もしくは完全に再充電し、次いで、プログラムされた輸液の実行中に、１つまたは複数の再充電可能な電池を連続的に充電することにより、または４０５で、プログラムされた輸液の実行中に、１つまたは複数の再充電可能な電池を部分的に、もしくは完全に再充電して、プログラムされた輸液の実行中に、１つまたは複数の再充電可能な電池を連続的に充電することにより、１つまたは複数の再充電可能な電池を再充電することができる。少なくとも１つの実施形態では、輸液ポンプ制御器は、４０８で、１つまたは複数の再充電可能な電池の再充電を延期させて、輸液を開始または続けることができる。１つまたは複数の実施形態では、再充電延期段階４０６中に、輸液ポンプは時間延期値を決定することができ、例えば、ブロック４０７と同じ論理を使用することにより、決定された時間延期値を１人または複数のユーザに通知することができ、ここで、決定された時間延期値は、輸液ポンプが、部分的な再充電または完全な再充電を必要とする前に、安全に動作し続けることのできる値とすることができる。輸液の長さ、ならびに電池の容量および要件に応じて、ユーザは、輸液中に複数回、電源と接続するように通知され得る。
【００６２】
ステップ４０７中に、１つまたは複数の実施形態では、患者などの１人または複数のユーザのうちのユーザは、輸液ポンプ１００に、好ましい再充電の開始時間を通知することができ、また患者は、必要な残りの電池電力容量を増加するために必要な可能性の高い充電時間に関する入力を輸液ポンプ制御器から受け取ることができる。こうすることは、ユーザが、例えば、知られた時間に行われる食事中、またはテレビ放送を見るときなど、静止状態にあり得ることを知ったとき、自分の再充電を事前に計画することを可能にする。少なくとも１つの実施形態では、患者は、利用可能な連続する充電時間値を入力することができ、輸液ポンプ制御器は、このような入力を受け取り、かつ再充電期間に対する最適な開始時間、および／または受け入れ可能な再充電開始時間の範囲の推奨を出力することができる。１つまたは複数の実施形態によれば、ユーザインターフェース画面は、プログラムされた輸液を完全に実行する、もしくは完了するためには、部分的な再充電が必要であること、またはプログラムされた輸液を完全に実行するための十分な電池電力容量が残っていることを示すことができる。少なくとも１つの実施形態では、輸液ポンプ１００は、プログラムされた輸液を実行するための予測される電力容量要件を計算し、１つまたは複数の再充電可能な電池の残りの電力容量を計算し、かつ計算された予測される電力容量要件を、１つまたは複数の再充電可能な電池の計算された残りの電力容量と比較するための、電力容量管理ソフトウェアを含むことができる。少なくとも１つの実施形態によれば、電力容量管理ソフトウェアは、上記で論じたように、輸液ポンプが、残りの電力容量にだけ基づいて、プログラムされた輸液を完全に実行できるかどうかを判定するために使用することができる。１つまたは複数の実施形態では、電力容量管理ソフトウェアは、能動的に利用可能に、または使用不能にすることができる。
【００６３】
本発明の実施形態は、１つまたは複数の再充電可能な電池を部分的に再充電する、１つまたは複数の再充電可能な電池を完全に再充電する、または１つまたは複数の再充電可能な電池を連続的に再充電するために、輸液ポンプのプラグをＡＣ電源、もしくは他の外部電源に差し込むことを含むことができる。４０７で、プログラムされた輸液の実行前の再充電４０４の後、または４０５で、輸液を開始しながら再充電を始めた後に、輸液ポンプ制御器は、ＡＣ電力を用いて１つまたは複数の再充電可能な電池を再充電することができ、また輸液ポンプ制御器は、１つまたは複数の電池の残りの電力容量が、プログラムされた輸液を完全に実行するには十分になったとき、１人または複数のユーザに通知することができる。１つまたは複数の実施形態では、１つまたは複数の再充電可能な電池が完全に充電されたことを、１つまたは複数の画面上のアイコンを用いて、ユーザインターフェース画面を介して１人または複数のユーザに通知することができ、またプログラムされた輸液を完全に実行するには不十分な電池電力容量が利用可能であることを、１つまたは複数の画面上アイコンのうちの別のアイコンを用いて、ユーザインターフェース画面を介して１人または複数のユーザに通知することができる。したがって、輸液ポンプ制御器は、１つまたは複数の再充電可能な電池の完全な再充電が、プログラムされた輸液を完全に実行するには不十分であり、複数回の再充電が必要になることを１人または複数のユーザに通知した。
【００６４】
少なくとも１つの実施形態では、４０８で、輸液ポンプ制御器は、次いで、輸液を実行し、開始する、または輸液を続けることができ、また電池電力用量が、電池をＡＣ電力などの外部電源に結合することなくプログラムされた輸液を完全に実行するには十分ではないかどうかを判定することができる。４０９で、輸液ポンプ制御器が、ＡＣ電力を使用せずにプログラムされた輸液を完全に実行するには電池電力容量が不十分であると判定した場合、輸液ポンプ制御器は、１人または複数のユーザに通知することができる。４１０で、輸液ポンプ制御器が、ＡＣ電源を使用せずに、プログラムされた輸液を完全に実行するには十分な電池電力容量があると判定した場合、輸液ポンプ制御器は、１人または複数のユーザに通知することができる。いずれの場合であっても、電池容量は、２０６ａで少なくとも周期的に評価され得る。
【００６５】
１つまたは複数の実施形態によれば、輸液ポンプ制御器は、周期的に、または例えば、任意の特有の輸液パラメータ、もしくは本明細書のいずれかで述べた他の任意のシステムパラメータが作られたとき、残りの電池電力容量を計算し、かつ輸液を完全に実行するのに必要な予測される電力容量、および完全な電池電力容量を計算することができる。少なくとも１つの実施形態によれば、ＡＣ電力を使用せずにプログラムされた輸液を完全に実行するのに十分な電池電力容量があることを１人または複数のユーザが通知された後、輸液ポンプ制御器は、第１の再充電状態に入る４０２ことができ、輸液ポンプ制御器は、３０２で第１の再充電状態に入ることに関して図３で示され、かつ上記で論じたように、プロセスを開始することができる。第１または第２の再充電状態中の任意の時間に、２０６ａで、電池容量を評価することができる。したがって、プログラムされた輸液を完全に実行するには、単一の適切な再充電で十分である。１つまたは複数の実施形態では、輸液ポンプ制御器が、１つまたは複数の再充電可能な電池には、低下した電池電力容量が残っていると判定した場合、輸液ポンプ制御器は、再充電が必要であることを、１人または複数のユーザに通知することができる。したがって、４０２、または図３の３０２で、第１の再充電状態に入ったとき、輸液ポンプ１００は、ＡＣ電力コンセントの中にプラグを差し込むことができ、また輸液ポンプ制御器は、ＡＣ電力が必要であることを１人または複数のユーザに通知することができる。
【００６６】
本発明の１つまたは複数の実施形態は、輸液ポンプを、施設の、もしくは施設内の治療区域の臨床的慣行と一致するように調整する、またはその他の形で一致するようにするために選択する、もしくは選択機能を使用可能／使用不能にする能力を含むことができる。例えば、閉塞圧力警報閾値、管路中の空気警報閾値、投与困難（ｈａｒｄ  ｄｏｓｅ）もしくは流量限度、キータッチ音量（ｋｅｙ  ｖｏｌｕｍｅ）、警報音量、バックライト設定、ポンプ放置状態メッセージタイミング、輸液が間もなく終了するメッセージタイミング、およびＫＶＯ（静脈開放維持）流量などの機能は、ポンプ上で構成することができる。通常、構成は、許容可能な設定範囲からの選択による。同様に、開始の遅延、用量の充填、および閉塞後の自動再スタートなどの機能は、使用可能に、または使用不能にすることができる。構成は、通常、ポンプに対するデフォルトの設定を規定し、工場のデフォルトの設定を置き換え、かつポンプの機能を、施設、治療区域、もしくは臨床医の臨床慣行もしくはプリファレンスを用いて調整する。これらの構成は、使用時点で臨床医により変更される、または許可された技術者による再構成を変更することが必要になる可能性がある。諸実施形態は、時間経過と共に、構成を改変し、構成を利用できないようにする、もしくは要求する、またはそれらの任意の組合せを行うオプションを提供することができる。構成設定機能はまた、工場のデフォルトレベルで、初期に使用可能もしくは使用不能にすることもできる。これらの設定は、電力使用量に影響を与える可能性があるので、本発明の実施形態は、例えば、３０１もしくは４０１で、残りの電池電力容量が、プログラムされた輸液を完全に実行するには不十分であるかどうかを判定するために、その設定を利用し、設定に対する変更を検出し、かつ推定された電池使用量を再計算することができる。他の実施形態では、本発明の電池容量の確認および警告挙動は、ポンプ上のユーザがカスタマイズ可能な設定、または輸液ポンプにダウンロードするように構成された薬物ライブラリでそれ自体構成可能である。遠隔コンピュータ上の薬物ライブラリエディタにおけるユーザが選択可能な設定は、個々の輸液プログラムに対して、所与のポンプもしくはポンプタイプに対して、施設の所与の臨床的な治療区域に対して、または所与の患者もしくは治療タイプに対して電池容量確認および警告挙動をオフもしくはオンに切り換えることができる。他の実施形態では、本発明の電池容量確認および警告挙動の様々なパラメータはまた、これだけに限らないが、計算および／または比較の頻度、警告メッセージのアドレス指定およびテキスト、十分および不十分な用量に対するトリガ点もしくは値、ならびに許可された、もしくは提案された充電もしくは再充電の持続期間および数を含む薬物ライブラリにおいて構成することができる。電池容量確認、警告、および充電挙動に関するこれらの薬物ライブラリ設定は、ユーザによって輸液ポンプで変更可能に構成することも、構成しないことも可能である。
【００６７】
本発明の１つまたは複数の実施形態によれば、１つまたは複数の再充電可能な電池を利用する輸液ポンプ１００は、長期間の、（例えば、２４もしくは４８時間を超える）輸液時間に対して、かつ高い液量の容量を必要とする輸液に対して使用することができる。さらに本発明の実施形態では、輸液ポンプ１００は、使い捨て電池の日常使用におけるいくつかの環境負担を低減することができ、また患者などの１人または複数のユーザに対する何らかの実際の負担を最小化しながら、患者がＡＣ電力コンセントにつながれる必要な時間を最適化できるようにし、１つまたは複数の輸液ポンプ治療を確実に安全に提供することができる。
【００６８】
図５は、例えば、遠隔コンピュータ上でホストされる薬物ライブラリエディタにより構成された、輸液パラメータ画面５００の実施形態を示す。図示のように、５０２で、集中治療室など、臨床的な治療区域に対して、輸液パラメータを設定することができる。パラメータは、電池管理パラメータ５０４を含むことができ、それは、５０６で、スマート電池管理を可能にするための、かつ上記で詳細に述べたように、５０８で、ポンプで電池パラメータをユーザが変更できるようにするためのユーザインターフェース要素をさらに含むことができる。パラメータはまた、再充電する時間に関するユーザインターフェース要素５１０、および警告メッセージのテキスト５２０、ならびに当業者であれば理解される特定の実装形態に基づく任意の他のパラメータを含めることを含むことができる。
【００６９】
図６は、図５の５０８により１つまたは複数の実施形態で使用可能になる、例えば、電池管理パラメータを設定するための、ポンプ上の電池設定画面６００の実施形態を示している。例えば、電池設定６０２は、図５で示された薬物ライブラリエディタに関して述べられた遠隔設定と同様に、６０４で、スマート電池管理設定を使用可能にすること、および６０６で、再充電するための時間を含むことができる。
【００７０】
図７は、本発明の１つまたは複数の実施形態による輸液ポンプユーザインターフェース画面の例示的な図を示す。図７で示すように、少なくとも１つの実施形態によれば、輸液ポンプ１０１は、図１で示された輸液ポンプユーザインターフェース１０３を介して１人または複数のユーザによる、プログラムされた輸液を含む輸液入力を受け入れることができる。１つまたは複数の実施形態では、輸液ポンプユーザインターフェース１０３は、ソフトボタンなどの入力を含む、またはタッチ画面もしくは任意の他のタイプの入力インターフェースとして実施することができ、かつ例えば、ユーザインターフェース画面１０４上の表示を使用することができる。１つまたは複数の実施形態では、輸液ポンプユーザインターフェース画面１０４は、プログラムされた輸液の確認を備えた開始画面、開始オプション、プログラム遅延オプション、電池充電インジケータ１６０、およびプログラムされた輸液の要件１４０のうちの１つまたは複数のものを含むことができる。本発明の少なくとも１つの実施形態では、電池充電インジケータ１６０は、パーセンテージ、時間および分を含む時間、またはパーセンテージと時間の両方のうちの少なくとも１つとして、１つまたは複数の再充電可能な電池１０２の残りの電力容量を示すことができる。日および秒などの他の時間単位、または任意の他の時間的単位を示す、もしくは表示することができる。
【００７１】
１つまたは複数の実施形態では、輸液ポンプ１０１が、ＡＣ電源などの電力入力にプラグが差し込まれた場合、ユーザインターフェース画面１０４は、電池充電インジケータ１６０を介して、輸液ポンプ１０１が充電されていることを示す。少なくとも１つの実施形態では、輸液ポンプ１０１が、主電源などの電力入力から接続が解除された後、電池充電インジケータ１６０の電池状況記号は、残っている充電量を、時間、分、およびパーセンテージのうちの１つまたは複数のもので表示し、ならびにプログラムされた輸液に対する電池動作に対して残りの推定時間を表示するように更新する。１つまたは複数の実施形態では、少なくとも１つの検出器１０６が歩行を検出したとき、ユーザインターフェース１０３は、ユーザインターフェース画面１０４で、「残りの充電量」のメッセージを強調表示することができ、またビー音もしくはメロディトーンなどによる可聴メッセージにより、さらに強調することができる。
【００７２】
本発明の１つまたは複数の実施形態によれば、少なくとも１つの検出器１０６が患者の歩行を検出したとき、輸液ポンプ制御器１０５は、プログラムされた輸液を完全に実行するためのプログラムされた輸液の必要な残りの持続期間１５０を計算し、かつユーザインターフェース画面１０４上に、プログラムされた輸液の計算された必要な残りの持続期間１５０を表示することができる。少なくとも１つの実施形態では、輸液ポンプ制御器１０５は、プログラムされた輸液を完全に実行するための予測される電力容量要件を計算し、かつ１つまたは複数の再充電可能な電池の残りの電力容量を計算することができる。１つまたは複数の実施形態では、輸液ポンプ制御器１０５は、計算され、予測された電力容量要件を、１つまたは複数の再充電可能な電池の計算された残りの電力容量と比較し、それにより、輸液ポンプ１０１が、プログラムされた輸液の計算された必要な残りの持続期間１５０と、１つまたは複数の再充電可能な電池１０２の計算された残りの電力容量との比較に基づいて、プログラムされた輸液を完全に実行できるかどうかを判定することができる。
【００７３】
１つまたは複数の実施形態では、プログラムされた輸液１４０の要件は、液中の薬物タイプ、投与量、流量、および注入すべき容積のうちの１つまたは複数のものを含むことができる。少なくとも１つの実施形態では、ポンプ制御器１０５は、薬物のタイプ、投与量、流量、および注入すべき容積のうちの１つまたは複数のものに基づいて、プログラムされた輸液を実行するための予測される電力容量要件を計算することができる。
【００７４】
本発明の少なくとも１つの実施形態では、プログラムされた輸液の計算された必要な残りの持続期間１５０、プログラムされた輸液を完全に実行するための予測される電力容量要件、１つまたは複数の再充電可能な電池の残りの電力容量、およびプログラムされた輸液の計算された必要な残りの持続期間１５０と、１つまたは複数の再充電可能な電池１０２の計算された残りの電力容量との比較に基づいて、輸液ポンプ１０１が、プログラムされた輸液を完全に実行できるかどうかを判定することのうちの１つまたは複数のものは、プログラムされた輸液の開始前に、またはプログラムされた輸液の進行中に行うことができる。
【００７５】
１つまたは複数の実施形態では、ｍＡｈで計算することができる、プログラムされた輸液を完全に実行するための、計算され予測された電力容量要件、および１つまたは複数の再充電可能な電池１０２の計算された残りの電力容量は、輸液ポンプモータ速度、および画面のバックライトなどの１つまたは複数のパラメータを含むことができる。少なくとも１つの実施形態では、１つまたは複数の再充電可能な電池の計算された残りの電力容量は、例えば、１人または複数のユーザの利益、および患者の安全のために、エラーのマージンを含むことができ、ここで、電池１０２は、計算された４時間の持続期間を続けることができるが、ユーザインターフェース画面１０２上の表示推定値は、３時間１５分に減少されている。
【００７６】
少なくとも１つの実施形態によれば、１つまたは複数の再充電可能な電池１０２の、表示され計算された残りの電力容量は、強調表示など、視覚的に強調することができ、かつ／または１人または複数のユーザの注意を引くために、可聴の、もしくは振動性のアラートを付随させることができる。
【００７７】
図８は、本発明の１つまたは複数の実施形態に従って、警告を表示する輸液ポンプユーザインターフェース画面１０４の例示的な図を示す。少なくとも１つの実施形態によれば、輸液ポンプ制御器１０５が、輸液ポンプ１０１は、残りの電力容量だけを用いて、プログラムされた輸液の必要な残りの持続期間１５０を有するプログラムされた輸液を完全に実行できると判定した場合、輸液ポンプ制御器１０５は、図２で示す開始オプションをアクティブにし、プログラムされた輸液は、輸液ポンプ１０１により実行される。
【００７８】
しかし、図８で示すように、１つまたは複数の実施形態によれば、輸液ポンプ制御器１０５が、輸液ポンプ１０１は、残りの電力容量を用いるだけで、プログラムされた輸液の必要な残りの持続期間１５０を有するプログラムされた輸液を完全に実行できないと判定した場合、輸液ポンプ制御器１０５は、不十分な残りの電力容量を示す警告１７０ａを、ユーザインターフェース画面１０４上で１人または複数のユーザに提供する。
【００７９】
少なくとも１つの実施形態では、警告１７０ａは、プログラムされた輸液もしくは治療が終了する前に、電池の電力が使い果たされた可能性のあることを認めるもしくは確認する、望ましいアクションを確認するための１人または複数のユーザからの入力を要求することができる。１つまたは複数の実施形態では、このような認定もしくは確認は、ユーザインターフェース画面１０４上に設けられた「確認」または「取消し」オプションボタンにより受け入れる、または受け入れないようにすることができる。
【００８０】
本発明の少なくとも１つの実施形態では、輸液ポンプ制御器１０５が、輸液ポンプ１０１は、残りの電力容量を用いるだけでは、プログラムされた輸液の必要な残りの持続期間を有するプログラムされた輸液を完全に実行できないと判定した場合、輸液ポンプ制御器１０５は、プログラムされた輸液の必要な残りの持続期間１５０を有するプログラムされた輸液を完全に実行するために、プログラムされた輸液を開始する前に、１つまたは複数の再充電可能な電池１０２の必要な充電の持続期間と、プログラムされた輸液の必要な残りの持続期間１５０を有するプログラムされた輸液を完全に実行するために、輸液ポンプ１０１の１つまたは複数の再充電可能な電池１０２の再充電が、プログラムされた輸液の実行中に必要になる予測された時間との一方または両方を提供することができる。
【００８１】
図９は、本発明の１つまたは複数の実施形態に従って、プログラムされた輸液の残りの持続期間、および１つまたは複数の再充電可能な電池の残りの電力容量を表示する輸液ポンプユーザインターフェース画面１０４の例示的な図を示している。少なくとも１つの実施形態によれば、輸液ポンプ制御器１０５が、輸液ポンプ１０１は、残りの電力容量を用いるだけでは、プログラムされた輸液の必要な残りの持続期間１５０を有するプログラムされた輸液を完全に実行できないと判定したとき、輸液ポンプ制御器１０５は、輸液ポンプ１０１が、ＡＣ電源などの主電源にプラグを差し込む、または再接続する必要があることを示す第２の警告１７０ｂをユーザインターフェース画面１０４上で、１人または複数のユーザに提供することができる。
【００８２】
少なくとも１つの実施形態では、プログラムされた輸液の開始前で、かつ１人または複数のユーザが、プログラムされた輸液に対して「開始」オプションを選択した後に、警告１７０ｂは、プログラムされた輸液もしくは治療が終了する前に、電池の電力が使い果たされる可能性のあることを認めるもしくは確認する、望ましいアクションを確認するための１人または複数のユーザからの入力を要求することができる。１つまたは複数の実施形態では、このような認定もしくは確認は、ユーザインターフェース画面１０４上に設けられた「確認」または「取消し」オプションボタンにより受け入れる、または受け入れないようにすることができる。１つまたは複数の実施形態では、プログラムされた輸液の進行中に、輸液ポンプ１０１が、プラグが外される、またはＡＣ電源などの主電源にプラグを差し込む、もしくは再接続する必要のあるとき、警告１７０ｂを行うことができる。取消しボタンが選択された場合、治療プログラムは取り消される、またはユーザは、プログラムもしくは滴定画面へと移動し、望ましい場合、治療に対する調整を行うことができる。
【００８３】
少なくとも１つの実施形態では、警告１７０ａおよび警告１７０ｂなどの警告は、プログラムされた輸液に関連して、残りのプログラムされた輸液持続期間１５０、および残りの電池寿命もしくは電池電力容量の一方または両方を含む注意を促すメッセージとすることができる。
【００８４】
１つまたは複数の実施形態では、輸液ポンプ制御器１０５は、主電源入力の接続解除と歩行とを識別することができ、したがって、１人または複数のユーザに、接続解除または歩行を知らせるために、異なるアラートもしくは警告を使用することができる。少なくとも１つの実施形態では、１つまたは複数の電池１０２の充電により影響を受ける、または充電に関連するイベントの間をより有効に識別するために、様々な注意、もしくは警告、もしくはアラートの優先順位付けを使用することができる。例えば、１つまたは複数の実施形態では：
【００８５】
【表１】
0006543635.tif 000002
【００８６】
歩行が検出されることなく、注入器が主電力からプラグが外された場合、注入器は、治療の残りの持続期間が、電池に対して残っている推定充電量を超える場合、画面上のメッセージでユーザに注意を喚起する。
【００８７】
図１０は、プログラムされた輸液に対して残りの時間カウンタ１８０を表示する輸液ポンプユーザインターフェース画面１０４の例示的な図を示し、また図１１は、本発明の１つまたは複数の実施形態に従って、プログラムされた輸液に対する治療進度バー１９０を表示する輸液ポンプユーザインターフェース画面の例示的な図を示している。
【００８８】
少なくとも１つの実施形態では、１人または複数のユーザは、持続期間全体にわたって、輸液を維持するために、十分な電池充電量が利用可能であるかどうかにかかわらず、プログラムされた治療を開始することを選択することができる。プログラムされた輸液の残りの持続期間１５０に加えて、またはその代替として、用量、流量、重量、およびＶＴＢＩパラメータなどの１つまたは複数の輸液要件１４０は、プログラムされた輸液もしくは治療が、プログラムされた輸液を完全に実行するために、推定もしくは計算された充電量により、または残っている電池電力容量により、完全に電力を供給できるかどうかを推定するために使用することができる。
【００８９】
図１０および図１１で示すように、少なくとも１つの実施形態によれば、輸液ポンプ１０１は、プログラムされた輸液を完全に実行するためのプログラムされた輸液の計算された必要な残りの持続期間１５０を表示する残り時間カウンタ１８０の１つまたは複数のものを、時間および分で、ユーザインターフェース画面１０４に表示することができ、かつ／または治療進度バー１９０を含むことができる。少なくとも１つの実施形態では、図１１で示すように、治療進度バー１９０は、プログラムされた輸液を完全に実行するためのプログラムされた輸液の計算された必要な残りの持続期間１５０、１つまたは複数の再充電可能な電池１０２の計算された残りの電力容量、およびプログラムされた輸液の進度を示す移動するバーを表示する棒グラフのうちの１つまたは複数のものを含むことができる。
【００９０】
本発明の１つまたは複数の実施形態では、棒グラフ１９０は、輸液の連続する輸液時間を表示する第１のセグメント１９１、静脈開放維持（ＫＶＯ）時間を表示する第２のセグメント１９２、および１つまたは複数の再充電可能な電池１０２の残りの電力容量が実質的に使い果たされるときを示す、第１のセグメント１９１および第２のセグメント１９２の一方または両方に沿って強調表示される第３のセグメント１９３のうちの１つまたは複数のものを含むことができる。１つまたは複数の実施形態では、第３のセグメント１９３は、第３のセグメント１９３を、第１のセグメント１９１および第２のセグメント１９２と明確に区別するために、異なる色もしくはパターンを用いて強調表示することができる。したがって、１つまたは複数の実施形態では、ユーザは、１つまたは複数の電池１０２が空になる、もしくは実質的に使い果たされる、もしくはその他の形で、液を注入するための十分な電力を提供できないおそれのある状態が近づいていることを容易に観察することができる。少なくとも１つの実施形態では、輸液の連続する輸液時間１９１、およびＫＶＯ時間１９２は、例えば、ｙ軸上に流量を、またｘ軸上に時間を用いた流量プロットとして表示することができる。
【００９１】
少なくとも１つの実施形態によれば、プログラムされた輸液治療が進行するにつれて、例えば、分もしくは時間の数など、所与の時間単位で、輸液段階の現在蓄積された時間１９５まで、棒グラフ１９０の最も左の部分において、輸液段階の完了した一部を灰色にすることができる。したがって、１つまたは複数の実施形態では、ユーザは、経過した輸液もしくは治療が、１つまたは複数の電池１０２が空になり得る状態に速やかに近づいていることを容易に観察することができる。
【００９２】
図１２は、本発明の１つまたは複数の実施形態に従って、プログラムされた輸液の１つまたは複数の要件を変更するためのオプションを表示する輸液ポンプユーザインターフェース画面の例示的な図を示す。少なくとも１つの実施形態では、プログラムされた輸液パラメータもしくは要件１４０に基づくエネルギー要件は、時間の経過と共に変化することができる。１つまたは複数の実施形態によれば、パラメータは、歩行のプロセス、または主電力が利用できない他のシナリオに基づいて変わることができ、また電池１０２は、最初の推定で予測されたものよりも早く消耗するおそれがある。例えば、少なくとも１つの実施形態では、このような変化は、画面の広範囲なバックライト照明、輸液パラメータを確認し、かつ監視するために高い頻度で画面にタッチすること、受信側からの最大電力出力を必要とする無線接続の維持、および送達パラメータの変化のうちの１つまたは複数のものにより生ずる可能性がある。
【００９３】
本発明の少なくとも１つの実施形態では、初期の推定により提供される不正確さを最小化するために、エネルギー要件の変化に基づき、輸液ポンプ制御器１０５により、更新を常に行うことができる。例えば、１つまたは複数の実施形態では、残っている充電推定値が、例えば、１０％など、所定量だけ低下した場合、または初期の計算と比較したとき、プログラムされた治療を完全に実行するのに必要な時間未満に低下した場合、１人または複数のユーザに、ユーザインターフェース画面１０４を介して、更新された情報を送達するためのアラートメッセージで知らせることができる。
【００９４】
例えば、諸図で示すように、少なくとも１つの実施形態によれば、プログラムされた輸液は、患者の１つまたは複数の変動する必要性もしくは変化に起因して、用量の滴定が必要になる可能性がある。１つまたは複数の実施形態では、複数の要件１４０のうちの１つのパラメータもしくは要件が変わったとき、他の要件もそれに応じて変わる、または影響を受ける。少なくとも１つの実施形態では、用量が、１．００ｇ／ｈから０．２０ｇ／ｈに減少したとき（図１２で示すように）、プログラムされた輸液の残りの持続期間１５０は、１時間から５時間に変化することになる。したがって、１つまたは複数の実施形態では、推定される残りの電池充電量は、例えば、３時間１５分に維持されるが、残りの電池充電量は、新しい輸液要件を含む新しい持続期間に対して、プログラムされた治療を完全に実行するにはもはや十分ではない可能性がある。
【００９５】
図１２で示すように、１つまたは複数の実施形態によれば、１人または複数のユーザ（患者を含むことができる）は、現在プログラムされた輸液に対する用量を滴定することを選択することができ、新しい滴定ダイアログがユーザインターフェース画面１０４に出現して、１人または複数のユーザが新しい用量を入力できるようにする。少なくとも１つの実施形態によれば、輸液ポンプ制御器１０５は、プログラムされた輸液を完全に実行するためのプログラムされた輸液の必要な残りの持続期間１５０、プログラムされた輸液を実行するための予測される電力容量要件、および１つまたは複数の再充電可能な電池１０２の残りの電力用量のうちの１つまたは複数のものにおける１つまたは複数の変更７１０を決定し、計算し、かつグラフィカルに表示することができる。
【００９６】
例えば、少なくとも１つの実施形態では、１人または複数のユーザは、用量を、最初にプログラムされた１．００ｇ／ｈから、０．２０ｇ／ｈへと低減することができる。７１０で示された、新しいパラメータが、ユーザインターフェース画面１０４を介して入力された後、１人または複数のユーザは、治療用量を滴定するために「開始」を選択することができる。少なくとも１つの実施形態では、滴定による用量の低減など、パラメータ要件１４０の変更は、１時間から５時間へなど、治療の持続期間が増加または減少する結果となり、３時間１５分である１つまたは複数の電池１０２の残りの推定充電量を超える可能性がある。したがって、１つまたは複数の実施形態では、輸液ポンプ制御器１０５は、ユーザインターフェース画面１０４により、電池充電インジケータ１６０と、現在プログラムされた輸液を完全に実行するための残りの推定持続期間１５０とを強調することができ、かつ／またはその状態を、ビー音もしくはメロディトーンなどの可聴手段により、１人または複数のユーザの注意を喚起することができる。本発明の少なくとも１つの実施形態では、複数の輸液要件１４０の任意の他の要件を、本発明に沿って変更することができる。
【００９７】
図１３は、本発明の１つまたは複数の実施形態に従って、プログラムされた輸液の１つまたは複数の要件が変更された後の、プログラムされた輸液の残りの持続期間、および１つまたは複数の再充電可能な電池の残りの電力容量を表示する輸液ポンプユーザインターフェース画面１０４の例示的な図を示している。図１３で示すように、１つまたは複数の実施形態では、輸液ポンプ制御器１０５が、１つまたは複数の変更７１０を決定し、かつ計算したとき、輸液ポンプ制御器１０５は、決定され、かつ計算された１つまたは複数の変更７１０に基づく更新情報を含むアラート８７０を、１人または複数のユーザに、ユーザインターフェース画面１０４上などで提供することができる。
【００９８】
１つまたは複数の実施形態では、ユーザインターフェース画面１０４は、プログラムされた輸液の残りの持続期間１５０における変更、および輸液治療を完全に実行するのに必要な予測される充電量が、どのように電池電力だけでは満たされないかを、１人または複数のユーザの注意を喚起するために使用されるさらなる確認画面もしくは警告を表示することができる。したがって、少なくとも１つの実施形態では、１人または複数のユーザは、ユーザインターフェース画面１０４を介して、用量滴定による変更を「確認する」を選択し、輸液ポンプ１０１のプラグをＡＣ電源もしくは主電力入力に差し込む、または滴定もしくは変更を取り消すことができる。
【００９９】
図１４は、本発明の１つまたは複数の実施形態に従って、外部サーバおよびデータベースと通信する輸液ポンプ電池充電アラートシステムのアーキテクチャ図を示す。本発明の少なくとも１つの実施形態によれば、１つまたは複数の再充電可能な電池１０２の使用量、要件、および計算された残りの電力容量など、電池に関連するデータは、データベース１２０になど、時間経過と共に１つまたは複数の再充電可能な電池の電池容量モデルを規定するために、サーバ１１０に連続してログインすることができる。本発明の１つまたは複数の実施形態では、１つまたは複数の再充電可能な電池１０２の使用量および要件は、電池１０２の使用期間、（完全および部分的な）放電および充電サイクルの数、電池１０２の受けた温度サイクル、電池電力に基づく動作時間、電池電力による動作に対する電流消費、および完全および部分的な充電における電池電圧のうちの１つまたは複数のものを含むことができる。図１４で示すように、少なくとも１つの実施形態によれば、輸液ポンプは、輸液ポンプ１０１の耐用年数を通して電池に関連するデータを記録することができ、ここで、このような情報は、さらに編集され、かつ分析されて、現場の使用で時が経過するにつれて、電池１０２の有用な用量を決定し、実際の有用性に関する広範囲なデータを提供することができる。
【０１００】
１つまたは複数の実施形態では、輸液ポンプ１０１が、サーバ１１０、および／またはデータベース１２０に、直接または間接的に接続される、またはネットワーク接続されるとき、輸液ポンプ１０１は、電池充電通知設定、薬物ライブラリデータ、または外部の施設、病院、医師などにより指定された他のデータのうちの１つまたは複数のものを受け取るようにプログラムすることができる。例えば、少なくとも１つの実施形態によれば、病院は、歩行がより顕著であるいくつかの臨床治療状態（ＩＣＵなど）に対して、歩行の検出を可能にし、その後に続いて、電池充電アラートを可能にするが、他のユニット（小児科など）に対しては、使用不能にする、もしくはより低い優先順位のアラートを選ぶように選択することができる。１つまたは複数の実施形態では、電池充電アラートに関する差別化は、いくつかの薬物もしくは液に関連付けることができる。例えば、少なくとも１つの実施形態では、積極的なアラートは、生命維持薬物もしくは液に対して設定することができる。
【０１０１】
少なくとも１つの実施形態によれば、電池の記録、および計算された残りの電池容量は、外部サーバ１１０との間で送信することができ、ここで、サーバ１１０を介する日常的な記録報告は、図１４で示すように、輸液ポンプ１０１の電池記録と比較されたとき、複数の輸液ポンプの編集されたデータを考慮することなどにより、電池１０２の予想される容量をモデル化するために使用することができる。１つまたは複数の実施形態では、残りの電池容量は、電池に関連するパラメータ、ならびに電池履歴の関数とすることができ、残りの電力容量の推定は、現在の輸液ポンプ特有のパラメータ、ならびに編集された電池使用量情報、および絶えず開発される電池容量モデルを統合することにより計算することができる。本発明の少なくとも１つの実施形態によれば、残りの電池電力容量は、輸液ポンプを動作させるためになお利用可能な充電量として計算することができる。１つまたは複数の実施形態では、真の残りの電池容量は、電池温度、使用期間、ならびに使用量および上記で論じた要件パラメータに関する他のパラメータの複雑な関数であり得る。図１４で示すように、本発明の少なくとも１つの実施形態では、残りの電池電力容量推定は、現在の電池電圧、現在の流量、ならびに履歴的かつ予測される利用を考慮することができる。少なくとも１つの実施形態では、前述の収集された電池記録データセットの使用は、電池容量モデルを再帰的に改良するために使用され、輸液ポンプが残りの充電量の良好な推定を提供できるようにする。上記で論じたように、１つまたは複数の実施形態では、残っている充電量のｍＡｈなど残りの容量を使用して、プログラムされた治療がどの位長く持続され得るかを推定することができる。
【０１０２】
１つまたは複数の実施形態では、１つまたは複数の再充電可能な電池１０２の充電または再充電中に、輸液ポンプ制御器１０５は、１つまたは複数の電池１０２の残りの電力容量が、プログラムされた輸液を完全に実行するのに十分であるとき、１人または複数のユーザに通知することができる。
【０１０３】
１つまたは複数の実施形態によれば、歩行検出に加えて、またはその代替として、輸液ポンプ電池充電アラートシステム１００は、停電中もしくは主電源入力が利用できなくなったときに利用することができる。少なくとも１つの実施形態では、輸液治療が、完全に電池電力だけで開始された場合、輸液ポンプが活動状態に留まる時間量を推定し、かつプログラムされた輸液を完全に実行するために利用可能な十分な充電量があるかどうかを推定するために、アルゴリズムを使用することができる。アルゴリズム、以前の、かつ現在のプログラミングパラメータ、ならびに輸液ポンプ１０１の電池１０２の使用量の記録された履歴を用いると、輸液ポンプ電池充電アラートシステム１００は、電池充電量の消耗に起因する、不注意の、ユーザが予測しない治療の停止を阻止することができる。１つまたは複数の実施形態では、十分な充電量があるかどうかを推定するために使用されるアルゴリズムは、残りの時間量を求めるために、例えば、ポンプモータおよび現在表示の消費量など、装置の現在のアンペア数消費量で、アンペア時による現在の容量を除算する。他の実施形態では、例えば、それぞれ１５秒間、Ｋアンペアで、１時間当たり４つなど、推定されるアンペア時イベントに関する表示の平均数は、Ｋアンペア分、すなわちＫ／６０アンペア時になり、ここで、Ｋは表示のタイプに依存する。アンペア時による現在の容量は、次いで、例えば、Ｋ／６０など現在のアンペア数消費量の合計により除算され、表示の予想される電力使用に追加される。電池の使用期間、タイプ、履歴、温度、またはシステムに利用できる任意の他の値を考慮に入れる任意の他のアルゴリズムもまた使用することができる。
【０１０４】
述べられた例および実施形態の数多くの修正および変形が、上記の教示を考慮すると可能であることが、当業者には明らかであろう。開示された例および実施形態は、例示のためのみに提示されているに過ぎない。他の代替の実施形態は、本明細書に開示された特徴のいくつか、またはすべてを含むことができる。したがって、本発明の真の範囲に含まれ得るこのような変更形態および代替の実施形態をすべて含むことが意図されている。
【図１−１】
0006543635.tif 000003
【図１−２】
0006543635.tif 000004
【図２】
0006543635.tif 000005
【図３】
0006543635.tif 000006
【図４】
0006543635.tif 000007
【図５】
0006543635.tif 000008
【図６】
0006543635.tif 000009
【図７】
0006543635.tif 000010
【図８】
0006543635.tif 000011
【図９】
0006543635.tif 000012
【図１０】
0006543635.tif 000013
【図１１】
0006543635.tif 000014
【図１２】
0006543635.tif 000015
【図１３】
0006543635.tif 000016
【図１４】
0006543635.tif 000017